(57)【要約】【課題】より高精度な周波数変換をより容易に行うことができるようにする。【解決手段】本技術の信号処理装置は、所定の発振周波数で発振する分周比が整数の発振部と、前記発信部の発振により得られた前記発振周波数の信号を用いて、処理対象の信号の周波数を変換する周波数変換部と、前記処理対象の信号の、前記発振周波数の誤差に基づく前記周波数変換部による変換後の周波数の誤差を補正する補正部とを備える。本技術は、信号処理装置のほか、例えば、受信装置、送信装置、送受信装置、若しくは通信装置等に適用することができる。【選択図】図４
2014022766.tif 000002
【特許請求の範囲】
【請求項１】
所定の発振周波数で発振する分周比が整数の発振部と、
前記発信部の発振により得られた前記発振周波数の信号を用いて、処理対象の信号の周波数を変換する周波数変換部と、
前記処理対象の信号の、前記発振周波数の誤差に基づく前記周波数変換部による変換後の周波数の誤差を補正する補正部と
を備える信号処理装置。
【請求項２】
前記補正部は、前記周波数変換部により周波数を変換された後の前記処理対象の信号について、前記周波数の誤差を補正する
請求項１に記載の信号処理装置。
【請求項３】
前記周波数変換部により周波数が変換された前記処理対象の信号について、チャネルを選択するチャネル選択部をさらに備え、
前記補正部は、前記チャネル選択部により選択されたチャネルの前記処理対象の信号について、前記周波数の誤差を補正する
請求項２に記載の信号処理装置。
【請求項４】
前記補正部は、前記周波数変換部により周波数を変換される前の前記処理対象の信号について、前記周波数の誤差を補正する
請求項１に記載の信号処理装置。
【請求項５】
前記周波数変換部により周波数が変換される前の前記処理対象の信号について、チャネルを選択するチャネル選択部をさらに備え、
前記補正部は、前記チャネル選択部によりチャネルが選択される前の前記処理対象の信号について、前記周波数の誤差を補正する
請求項４に記載の信号処理装置。
【請求項６】
前記発振周波数の誤差は、前記発振周波数の制御幅により生じる、前記発振周波数の所望の値と実際の値との差分である
請求項１に記載の信号処理装置。
【請求項７】
前記処理対象の信号の変換後の周波数の誤差は、前記発振周波数の制御幅よりも小さい
請求項１に記載の信号処理装置。
【請求項８】
前記発振周波数の制御幅は、前記処理対象の信号のチャネル幅よりも小さい
請求項１に記載の信号処理装置。
【請求項９】
前記発振部および前記補正部の動作を制御する制御部をさらに備える
請求項１に記載の信号処理装置。
【請求項１０】
前記制御部は、少なくとも、前記発振部の前記発振周波数と、前記補正部の補正量とを制御する
請求項９に記載の信号処理装置。
【請求項１１】
前記制御部は、前記処理対象の信号の規格に応じた、前記補正量を前記補正部に指示する
請求項１０に記載の信号処理装置。
【請求項１２】
前記発振部は、
入力電圧によって出力周波数を制御する電圧制御発振部と、
前記電圧制御発振部の出力周波数を整数の分周比で分周する分周部と、
前記発振部の入力信号と前記分周部の出力信号との位相差を電圧に変換して前記電圧制御発振部に供給する位相比較部と
を備え、
前記電圧制御発振部は、前記位相比較部の出力電圧に基づいて、前記発振部の出力信号の周波数を制御し、
前記制御部は、前記電圧制御発振部の出力周波数のステップ幅に基づいて前記補正量を算出し、算出した前記補正量を前記補正部に指示する
請求項１０に記載の信号処理装置。
【請求項１３】
前記発振部は、
入力電圧によって出力周波数を制御する電圧制御発振部と、
前記電圧制御発振部の出力周波数を整数の分周比で分周する分周部と、
前記発振部の入力信号と前記分周部の出力信号との位相差を電圧に変換して前記電圧制御発振部に供給する位相比較部と
を備え、
前記電圧制御発振部は、前記位相比較部の出力電圧に基づいて、前記発振部の出力信号の周波数を制御し、
前記制御部は、前記分周部の分周比のステップ幅に基づいて前記補正量を算出し、算出した前記補正量を前記補正部に指示する
請求項１０に記載の信号処理装置。
【請求項１４】
信号処理装置の信号処理方法において、
前記信号処理装置が、
整数の分周比を用いて所定の発振周波数で発振をし、
前記発振により得られた前記発振周波数の信号を用いて、処理対象の信号の周波数を変換し、
前記処理対象の信号の、前記発振周波数の誤差に基づく周波数変換後の周波数の誤差を補正する
信号処理方法。
【請求項１５】
信号を受信する受信部と、
所定の発振周波数で発振する分周比が整数の発振部と、
前記発信部の発振により得られた前記発振周波数の信号を用いて、前記受信部により受信された前記信号のRF信号の周波数を変換してIF信号を生成する周波数変換部と、
前記周波数変換部により生成された前記IF信号について、前記発振周波数の誤差に基づく前記IF信号の周波数の誤差を補正する補正部と
を備える受信装置。
【請求項１６】
少なくとも、前記発振部の前記発振周波数と、前記補正部の補正量とを制御する制御部をさらに備える
請求項１５に記載の受信装置。
【請求項１７】
受信装置の受信方法において、
前記受信装置が、
信号を受信し、
整数の分周比を用いて所定の発振周波数で発振をし、
前記発振により得られた前記発振周波数の信号を用いて、受信された前記信号のRF信号の周波数を変換してIF信号を生成し、
生成された前記IF信号について、前記発振周波数の誤差に基づく前記IF信号の周波数の誤差を補正する
受信方法。
【請求項１８】
所定の発振周波数で発振する分周比が整数の発振部と、
IF信号について、前記発振周波数の誤差に基づく前記IF信号の周波数の誤差を補正する補正部と、
前記発信部の発振により得られた前記発振周波数の信号を用いて、前記補正部により誤差が補正された前記IF信号の周波数を変換してRF信号を生成する周波数変換部と、
前記周波数変換部により生成された前記RF信号を送信する送信部と
を備える送信装置。
【請求項１９】
少なくとも、前記発振部の前記発振周波数と、前記補正部の補正量とを制御する制御部をさらに備える
請求項１８に記載の送信装置。
【請求項２０】
送信装置の送信方法において、
前記送信装置が、
整数の分周比を用いて所定の発振周波数で発振をし、
IF信号について、前記発振周波数の誤差に基づく前記IF信号の周波数の誤差を補正し、
前記発振により得られた前記発振周波数の信号を用いて、誤差が補正された前記IF信号の周波数を変換してRF信号を生成し、
生成された前記RF信号を送信する
送信方法。
【発明の詳細な説明】
【技術分野】
【０００１】
本技術は、信号処理装置および方法、受信装置および方法、並びに、送信装置および方法に関し、特に、より高精度な周波数変換をより容易に行うことができるようにした信号処理装置および方法、受信装置および方法、並びに、送信装置および方法に関する。
【背景技術】
【０００２】
従来、受信装置や送信装置等においては、受信信号や送信信号に対して、ローカル発振周波数FLOを用いた周波数変換が行われ、RF信号がIF信号に変換されたり、IF信号がRF信号に変換されたりしていた（例えば、非特許文献参照）。
【０００３】
近年、通信技術の発達に伴い、この周波数変換をより高精度に（より小さいステップ幅で）制御することが求められている。そのためには、ローカル発振周波数FLOのステップ幅ΔFLOをより小さくする必要がある。
【０００４】
そのローカル発振周波数FLOを提供するローカル発信部として、例えば、分周比が整数のInteger-N型（Integer型とも称する）のPLL（Phase Locked Loop）が用いられていた。
【０００５】
ローカル発振周波数FLOのステップ幅ΔFLOをより小さくするためには、PLLに含まれるVCO（Voltage Controlled Oscillator）の発振周波数FVCOのステップ幅ΔFVCOをより小さくする必要があるが、Integer-N型のPLLの場合、VCOの発振周波数FVCOは、PLLの比較周波数FREFの整数倍の値しかとることができない。つまり、VCOの発振周波数FVCOのステップ幅ΔFVCOをより小さくするためには、PLLの比較周波数FREFを小さくする必要があった。
【０００６】
しかしながら、比較周波数FREFは、PLLのループ特性に関わるパラメータであり、性能とのトレードオフとなる。したがって、Integer-N型のPLLをローカル発振部として用いる場合、ローカル発振周波数FLOのステップ幅ΔFLOを十分に小さくすることができず、受信信号や送信信号の周波数変換を十分に高精度に制御することができない恐れがあった。
【０００７】
そこで、分周比を分数とすることができるFractional-N型（Fractional型とも称する）のPLLをローカル発振部として用いることが考えられた。
【先行技術文献】
【非特許文献】
【０００８】
Ertan Zencir, Numan S. Dogan and Ercument Arvas, "A Low-power CMOS Mixer for Low-IF Receivers", IEEE Radio and Wireless Conference, 2002, pp.157 -160.
【発明の概要】
【発明が解決しようとする課題】
【０００９】
しかしながら、Fractional-N型のPLLの場合、DSM（Delta-Sigma Modulator）が用いられるため、一般的にノイズが増大する。そのノイズを低減させるために、ローパスフィルタを用いる必要があり、Integer-N型のPLLの場合に比べ、構成が複雑になる恐れがあった。
【００１０】
本技術は、このような状況に鑑みて提案されたものであり、より高精度な周波数変換をより容易に行うことを目的とする。
【課題を解決するための手段】
【００１１】
本技術の第１の側面は、所定の発振周波数で発振する分周比が整数の発振部と、前記発信部の発振により得られた前記発振周波数の信号を用いて、処理対象の信号の周波数を変換する周波数変換部と、前記処理対象の信号の、前記発振周波数の誤差に基づく前記周波数変換部による変換後の周波数の誤差を補正する補正部とを備える信号処理装置である。
【００１２】
前記補正部は、前記周波数変換部により周波数を変換された後の前記処理対象の信号について、前記周波数の誤差を補正することができる。
【００１３】
前記周波数変換部により周波数が変換された前記処理対象の信号について、チャネルを選択するチャネル選択部をさらに備え、前記補正部は、前記チャネル選択部により選択されたチャネルの前記処理対象の信号について、前記周波数の誤差を補正することができる。
【００１４】
前記補正部は、前記周波数変換部により周波数を変換される前の前記処理対象の信号について、前記周波数の誤差を補正することができる。
【００１５】
前記周波数変換部により周波数が変換される前の前記処理対象の信号について、チャネルを選択するチャネル選択部をさらに備え、前記補正部は、前記チャネル選択部によりチャネルが選択される前の前記処理対象の信号について、前記周波数の誤差を補正することができる。
【００１６】
前記発振周波数の誤差は、前記発振周波数の制御幅により生じる、前記発振周波数の所望の値と実際の値との差分であるようにすることができる。
【００１７】
前記処理対象の信号の変換後の周波数の誤差は、前記発振周波数の制御幅よりも小さいようにすることができる。
【００１８】
前記発振周波数の制御幅は、前記処理対象の信号のチャネル幅よりも小さいようにすることができる。
【００１９】
前記発振部および前記補正部の動作を制御する制御部をさらに備えることができる。
【００２０】
前記制御部は、少なくとも、前記発振部の前記発振周波数と、前記補正部の補正量とを制御することができる。
【００２１】
前記制御部は、前記処理対象の信号の規格に応じた、前記補正量を前記補正部に指示することができる。
【００２２】
前記発振部は、入力電圧によって出力周波数を制御する電圧制御発振部と、前記電圧制御発振部の出力周波数を整数の分周比で分周する分周部と、前記発振部の入力信号と前記分周部の出力信号との位相差を電圧に変換して前記電圧制御発振部に供給する位相比較部とを備え、前記電圧制御発振部は、前記位相比較部の出力電圧に基づいて、前記発振部の出力信号の周波数を制御し、前記制御部は、前記電圧制御発振部の出力周波数のステップ幅に基づいて前記補正量を算出し、算出した前記補正量を前記補正部に指示することができる。
【００２３】
前記発振部は、入力電圧によって出力周波数を制御する電圧制御発振部と、前記電圧制御発振部の出力周波数を整数の分周比で分周する分周部と、前記発振部の入力信号と前記分周部の出力信号との位相差を電圧に変換して前記電圧制御発振部に供給する位相比較部とを備え、前記電圧制御発振部は、前記位相比較部の出力電圧に基づいて、前記発振部の出力信号の周波数を制御し、前記制御部は、前記分周部の分周比のステップ幅に基づいて前記補正量を算出し、算出した前記補正量を前記補正部に指示することができる。
【００２４】
本技術の第１の側面は、また、信号処理装置の信号処理方法において、前記信号処理装置が、整数の分周比を用いて所定の発振周波数で発振をし、前記発振により得られた前記発振周波数の信号を用いて、処理対象の信号の周波数を変換し、前記処理対象の信号の、前記発振周波数の誤差に基づく周波数変換後の周波数の誤差を補正する信号処理方法である。
【００２５】
本技術の第２の側面は、信号を受信する受信部と、所定の発振周波数で発振する分周比が整数の発振部と、前記発信部の発振により得られた前記発振周波数の信号を用いて、前記受信部により受信された前記信号のRF信号の周波数を変換してIF信号を生成する周波数変換部と、前記周波数変換部により生成された前記IF信号について、前記発振周波数の誤差に基づく前記IF信号の周波数の誤差を補正する補正部とを備える受信装置である。
【００２６】
少なくとも、前記発振部の前記発振周波数と、前記補正部の補正量とを制御する制御部をさらに備えることができる。
【００２７】
本技術の第２の側面は、また、受信装置の受信方法において、前記受信装置が、信号を受信し、整数の分周比を用いて所定の発振周波数で発振をし、前記発振により得られた前記発振周波数の信号を用いて、受信された前記信号のRF信号の周波数を変換してIF信号を生成し、生成された前記IF信号について、前記発振周波数の誤差に基づく前記IF信号の周波数の誤差を補正する受信方法である。
【００２８】
本技術の第３の側面は、所定の発振周波数で発振する分周比が整数の発振部と、IF信号について、前記発振周波数の誤差に基づく前記IF信号の周波数の誤差を補正する補正部と、前記発信部の発振により得られた前記発振周波数の信号を用いて、前記補正部により誤差が補正された前記IF信号の周波数を変換してRF信号を生成する周波数変換部と、前記周波数変換部により生成された前記RF信号を送信する送信部とを備える送信装置である。
【００２９】
少なくとも、前記発振部の前記発振周波数と、前記補正部の補正量とを制御する制御部をさらに備えることができる。
【００３０】
本技術の第３の側面は、また、送信装置の送信方法において、前記送信装置が、整数の分周比を用いて所定の発振周波数で発振をし、IF信号について、前記発振周波数の誤差に基づく前記IF信号の周波数の誤差を補正し、前記発振により得られた前記発振周波数の信号を用いて、誤差が補正された前記IF信号の周波数を変換してRF信号を生成し、生成された前記RF信号を送信する送信方法である。
【００３１】
本技術の第１の側面においては、整数の分周比を用いて所定の発振周波数で発振が行われ、その発振により得られた発振周波数の信号を用いて、処理対象の信号の周波数が変換され、処理対象の信号の、発振周波数の誤差に基づく周波数変換後の周波数の誤差が補正される。
【００３２】
本技術の第２の側面においては、信号が受信され、整数の分周比を用いて所定の発振周波数で発振が行われ、その発振により得られた発振周波数の信号を用いて、受信された信号のRF信号の周波数が変換されてIF信号が生成され、生成されたIF信号について、発振周波数の誤差に基づくIF信号の周波数の誤差が補正される。
【００３３】
本技術の第３の側面においては、整数の分周比を用いて所定の発振周波数で発振が行われ、IF信号について、発振周波数の誤差に基づくIF信号の周波数の誤差が補正され、発振により得られた発振周波数の信号を用いて、誤差が補正されたIF信号の周波数が変換されてRF信号が生成され、生成されたRF信号が送信される。
【発明の効果】
【００３４】
本技術によれば、信号を処理することが出来る。特に、より高精度な周波数変換をより容易に行うことができる。
【図面の簡単な説明】
【００３５】
【図１】受信装置の主な構成例を示すブロック図である。
【図２】ローカル発振部の主な構成例を示すブロック図である。
【図３】ローカル発振部の主な構成例を示すブロック図である。
【図４】受信装置の主な構成例を示すブロック図である。
【図５】IF信号処理部の主な構成例を示すブロック図である。
【図６】受信処理の流れの例を説明するフローチャートである。
【図７】補正処理の流れの例を説明するフローチャートである。
【図８】受信装置の主な構成例を示すブロック図である。
【図９】補正処理の流れの例を説明するフローチャートである。
【図１０】送信装置の主な構成例を示すブロック図である。
【図１１】送信装置の主な構成例を示すブロック図である。
【図１２】送信処理の流れの例を説明するフローチャートである。
【図１３】送信装置の主な構成例を示すブロック図である。
【図１４】表示装置の主な構成例を示すブロック図である。
【図１５】通信装置の主な構成例を示すブロック図である。
【図１６】コンピュータの主な構成例を示すブロック図である。
【発明を実施するための形態】
【００３６】
以下、本開示を実施するための形態（以下実施の形態とする）について説明する。なお、説明は以下の順序で行う。
１．第１の実施の形態（受信装置）
２．第２の実施の形態（受信装置）
３．第３の実施の形態（送信装置）
４．第４の実施の形態（送信装置）
５．第５の実施の形態（表示装置）
６．第６の実施の形態（通信装置）
７．第７の実施の形態（コンピュータ）
【００３７】
＜１．第１の実施の形態＞
［１−１受信装置］
従来、受信装置においては、受信信号に対して、ローカル発振周波数FLOを用いた周波数変換が行われ、RF信号がIF信号に変換されていた。
【００３８】
図１は、受信装置の主な構成例を示すブロック図である。図１に示される受信装置１０は、図示せぬ送信装置から送信された無線信号を受信する受信機能を有する通信装置である。
【００３９】
図１に示されるように、受信装置１０は、アンテナ１１、RFフィルタ１２、RFVGA１３、RFフィルタ１４、ミキサ１５、ローカル発振部１６、IFフィルタ１７、およびIFVGA１８を有する。受信装置１０は、アンテナを介して無線信号を受信し、それを電気信号（RF信号）に変換し、そのRF信号を周波数変換してIF信号とし、所望の周波数成分を抽出して出力する。
【００４０】
RFフィルタ１２は、アンテナ１１から供給される、アンテナ１１において受信された無線信号に対応するRF信号（RFIN）に対してフィルタ処理を行い、所定の周波数帯域成分を抽出する。RFフィルタ１２は、抽出した所定の周波数帯域成分（RF信号）をRFVGA１３に供給する。
【００４１】
RFVGA１３は、RFフィルタ１２より供給されるRF信号を、信号レベルを安定させるように増幅するゲインアンプである。RFVGA１３は、増幅したRF信号を、RFフィルタ１４に供給する。
【００４２】
RFフィルタ１４は、RFフィルタ１２と同様のフィルタであり、RFVGA１３から供給されるRF信号に対してフィルタ処理を行い、所定の周波数帯域成分を抽出する。RFフィルタ１４は、抽出した所定の周波数帯域成分（RF信号）をミキサ１５に供給する。
【００４３】
ミキサ１５は、RFフィルタ１４から供給されるRF信号の周波数FRF（以下、RF周波数FRFとも称する）を、ローカル発振部１６から供給されるローカル信号（以下、LO信号とも称する）の周波数（ローカル発振周波数FLO（以下、LO周波数FLOとも称する））を用いて変換し、周波数FIF（以下、IF周波数FIFとも称する）のIF信号を生成する。ミキサ１５は、生成したIF信号をIFフィルタ１７に供給する。
【００４４】
ローカル発振部１６は、所定の周波数（LO周波数FLO）のLO信号（クロック）を生成し、それをミキサ１５に供給する（LOOUT）。ローカル発振部１６は、LO周波数FLOの信号を出力するPLL（Phase Locked Loop）を有し、そのPLLにおいて生成された信号をLO信号としてミキサ１５に供給する。ミキサ１５は、RF信号にそのLO信号を乗算することで、RF周波数FRFをIF周波数FIFに周波数変換（ダウンコンバート）する。
【００４５】
IFフィルタ１７は、ミキサ１５から供給されるIF信号に対してフィルタ処理を行い、所望の周波数帯域成分を抽出することにより、所望のチャネルを選択する。IFフィルタ１７は、選択したチャネルのIF信号をIFVGA１８に供給する。
【００４６】
IFVGA１８は、IFフィルタ１７より供給されるIF信号を、信号レベルを安定させるように増幅するゲインアンプである。IFVGA１８は、増幅したIF信号を、受信装置１０の外部（例えば、変調されているIF信号を復調する復調処理部（DEMOD）等の後段の処理部）に供給する（IFOUT）。
【００４７】
このような受信装置１０において、IF周波数FIFを、LO周波数FLOと、RF周波数FRFとを用いて以下の式（１）のように定める。
【００４８】
FIF＝FLO−FRF  ・・・（１）
【００４９】
この場合、IF周波数FIFを所望の値とするためには、LO周波数FLOを以下の式（２）のように設定する必要がある。
【００５０】
FLO＝FRF＋FIF  ・・・（２）
【００５１】
もちろん、式（１）において、FIFをFLOとFRFの加算結果とすることもできる。いずれにしても、IF周波数FIFの周波数可変ステップ幅をΔFIFとし、RF周波数FRFの周波数可変ステップ幅をΔFRFとし、LO周波数FLOの周波数可変ステップ幅をΔFLOとすると、IF周波数FIFを所望の周波数にするために、ΔFRFとΔFLOは、それぞれ、以下の式（３）および（４）の関係を満たす必要がある。
【００５２】
ΔFLO≦ΔFRF  ・・・（３）
ΔFLO≦ΔFIF  ・・・（４）
【００５３】
すなわち、ΔFLOは、ΔFRFやΔFIFにより制限される。近年、通信技術の発達に伴い、IF周波数FIFをより高精度に（より小さいステップ幅で）変化させることが求められている。式（４）に示されるように、そのためには、ΔFLOも小さくする必要がある。
【００５４】
［１−２ローカル発振部］
図２は、図１のローカル発振部１６の主な構成例を示すブロック図である。
【００５５】
図２に示されるローカル発振部１６は、分周比が整数のInteger-N型（Integer型とも称する）のPLLよりなる。図２に示されるように、ローカル発振部１６は、水晶振動子２１、水晶発振部２２、カウンタ２３、位相周波数比較部２４、チャージポンプ２５、ループフィルタ２６、VCO２７、分周部２８、およびカウンタ２９を有する。
【００５６】
水晶振動子２１は、圧電体である水晶片（水晶ブランク）を２枚の電極で挟んだ水晶振動体を保持器に収めたものである。水晶発振部２２は、水晶振動子２１に電圧を印加することにより、水晶の固有振動数で発振させ、得られた信号を増幅する。カウンタ（1/R）２３は、増幅された信号を分周比Ｒで分周し、比較周波数FREFの信号を生成し、位相周波数比較部２４に供給する。
【００５７】
位相周波数比較部（PFD（Phase Frequency Detector））２４は、カウンタ２３から供給される信号と、カウンタ２９より供給される信号とで位相を比較し、それらの信号の位相差を電圧に変換し、チャージポンプ２５に供給する。
【００５８】
チャージポンプ（CP（Charge pump））２５は、位相周波数比較部２４から供給された電圧を上昇させる。チャージポンプ２５は、上昇させた電圧をVCO２７に供給する。
【００５９】
ループフィルタ２６は、帰還ループのフィルタであり、例えば、ローパスフィルタが用いられる。ループフィルタ２６は、フィードバックを有する構成において生じ易い発振を抑制するために、位相周波数比較部２４やチャージポンプ２５により制御されるVCO２７の入力電圧の不要な短周期の変動を抑制する。
【００６０】
VCO（Voltage Controlled Oscillator）２７は、入力電圧に応じて出力周波数を制御する発信器である。VCO２７は、発振周波数FVCOの信号を分周部２８およびカウンタ２９に供給する。
【００６１】
分周部（1/M）２８は、VCO２７から供給される発振周波数FVCOの信号を分周比Ｍで分周する。分周部２８は、分周された信号をLO信号としてミキサ１５に供給する（LOOUT）。
【００６２】
カウンタ（1/N）２９は、VCO２７から供給される発振周波数FVCOの信号を分周比Ｎで分周する。カウンタ２９は、分周された信号を位相周波数比較部２４に供給する。
【００６３】
このようなInteger-N型のPLLをローカル発振部１６として用いる場合、LO周波数FLOは、VCO２７の発振周波数FVCOを用いて、以下の式（５）のように求めることができる。
【００６４】
FLO＝FVCO／M  ・・・（５）
ただし、Mは整数
【００６５】
したがって、発振周波数FVCOの周波数可変ステップ幅をΔFVCOとすると、ΔFLOを小さくするためには、このΔFVCOも小さくする必要がある。
【００６６】
また、VCO２７の発振周波数FVCOは、比較周波数FREFを用いて、以下の式（６）のようにも求めることができる。
【００６７】
FVCO＝FREF×N  ・・・（６）
【００６８】
つまり、発振周波数FVCOは、比較周波数FREFの整数倍（Ｎ倍）の値しかとることができない。したがって、ΔFVCOをより小さくしようとすると、比較周波数FREFもより小さくしなければならない。
【００６９】
しかしながら、比較周波数FREFは、PLL（ローカル発振部１６）のループ特性に関わるパラメータであり、性能とのトレードオフとなる。そのため、Integer-N型のPLLをローカル発振部１６として用いる場合、ΔFVCOおよびΔFLOを小さくすることが困難であり、発振周波数FVCOやLO周波数FLOを、十分に高精度に（十分に小さいステップ幅で）制御することができない恐れがあった。
【００７０】
［１−３ローカル発振部］
そこで分周比として分数を用いることができるFractional-N型（Fractional型とも称する）のPLLをローカル発振部１６として用いることが考えられた。
【００７１】
図３は、図１のローカル発振部１６の他の構成例を示すブロック図である。
【００７２】
図３に示されるように、この場合、ローカル発振部１６は、分周比に分数を用いることができるFractional-N型のPLLよりなる。図３に示されるように、この場合、ローカル発振部１６は、図２の例の構成に加え、さらに、ローパスフィルタ３１およびΔΣ変調部（DSM（Delta-Sigma Modulator））を有する。
【００７３】
ΔΣ変調部３２は、高速で標本化した量子化誤差のパワースペクトル密度分布の形状を整形し、通過帯域のダイナミックレンジを向上させる。
【００７４】
ローパスフィルタ３１は、VCO２７の入力電圧について、ΔΣ変調部３２を用いることにより増大するノイズ成分を抑制する。
【００７５】
このようにΔΣ変調部３２を適用することにより、実質的にカウンタ２９の分周比Ｎの値を分数にすることができる。したがって、このようなFractional-N型のPLLをローカル発振部１６に適用することにより、ΔFVCOを図２の例の場合よりも小さくすることができる。
【００７６】
しかしながら、図３に示されるように、Fractional-N型のPLLの場合、Integer-N型のPLLの構成に加え、ローパスフィルタ３１およびΔΣ変調部３２が必要になる。このようにローカル発振部１６の構成がより複雑になる恐れがあった。そのため、回路規模が増大して占有面積が増大したり、処理遅延が増大したり、消費電力が増大したりする恐れがあった。また、これらにより、小型化や低消費電力化等の設計が困難になる恐れがあった。さらに、これらによって、例えば、開発、製造、および運用等、あらゆる面でのコストが増大する恐れがあった。
【００７７】
［１−４周波数補正］
そこで、Fractional-N型のPLLを用いる代わりに、Integer-N型のPLLを用い、さらに、IF周波数FIFに生じる誤差を補正するようにする。つまり、上述したように、Integer-N型のPLLを用いる場合、IF周波数FIFの制御の精度が、Fractional-N型のPLLを用いる場合よりも低くなる（ステップ幅が大きくなる）恐れがあるが、その精度（ステップ幅）の違いにより生じるIF周波数FIFの誤差、すなわち、LO周波数FLOの誤差を補正するようにする。
【００７８】
例えば、信号を周波数変換する信号処理装置が、所定の発振周波数で発振する分周比が整数の発振部と、発信部の発振により得られた発振周波数の信号を用いて、処理対象の信号の周波数を変換する周波数変換部と、処理対象の信号の、発振周波数の誤差に基づく周波数変換部による変換後の周波数の誤差を補正する補正部とを備えるようにする。
【００７９】
このようにすることにより、信号処理装置の構成として、構成が容易な分周比が整数の発振部を用いながら、より高精度な周波数変換を実現することができる。換言するに、信号処理装置は、より高精度な（小さいステップ幅の）周波数制御を実現しながら、その構成の複雑化を低減することができる。つまり、信号処理装置は、より高精度な周波数変換をより容易に行うことができる。これにより、信号処理装置の、周波数変換の高精度制御化に伴う回路規模、処理遅延、消費電力等の増大を抑制することができる。したがって、信号処理装置の小型化や低消費電力化を容易にし、開発、製造、および運用等のあらゆる面のコストの増大を抑制することができる。
【００８０】
なお、上述した補正部は、周波数変換部により周波数を変換された後の処理対象の信号について、周波数の誤差を補正するようにしてもよい。例えば、RF信号を周波数変換してIF信号を生成する場合、補正部は、その変換後のIF信号の周波数を補正することができるようにしてもよい。このようにすることにより、例えば受信装置のように、IF信号を後段の処理部に出力する場合、その目的のIF信号の周波数をより高精度に制御することができる。
【００８１】
また、周波数変換部により周波数が変換された処理対象の信号について、チャネルを選択するチャネル選択部をさらに備えるようにしてもよい。そして、補正部が、チャネル選択部により選択されたチャネルの処理対象の信号について、周波数の誤差を補正することができるようにしてもよい。このようにすることにより、所望の帯域の周波数成分についてのみ周波数補正を行うことができる。
【００８２】
さらに、補正部は、周波数変換部により周波数を変換される前の処理対象の信号について、周波数の誤差を補正することができるようにしてもよい。例えば、IF信号を周波数変換してRF信号を生成する場合、補正部は、変換前のIF信号の周波数を補正することができるようにしてもよい。このようにすることにより、例えば送信装置のように、IF信号をRF信号に変換して出力する場合であっても、IF信号の周波数をより高精度に制御することができる。
【００８３】
また、周波数変換部により周波数が変換される前の処理対象の信号について、チャネルを選択するチャネル選択部をさらに備えるようにしてもよい。そして、補正部が、チャネル選択部によりチャネルが選択される前の処理対象の信号について、周波数の誤差を補正するようにしてもよい。このようにすることにより、IF信号の周波数を、周波数変換により生じる誤差の分、予め補正することができる。
【００８４】
さらに、発振周波数の誤差を、発振周波数の制御幅（ステップ幅）により生じる、発振周波数の所望の値と実際の値との差分としてもよい。このようにすることにより、発振周波数の制御幅をより小さくせずに、周波数変換をより高精度化することができる。
【００８５】
処理対象の信号の変換後の周波数の誤差を、発振周波数の制御幅よりも小さくするようにしてもよい。このようにすることにより、より高精度な周波数変換をより容易に実現することができる。
【００８６】
発振周波数の制御幅を、処理対象の信号のチャネル幅よりも小さくするようにしてもよい。このようにすることにより、より高精度な周波数変換をより容易に実現することができる。
【００８７】
発振部および補正部の動作を制御する制御部をさらに備えるようにしてもよい。例えば、この制御部が、補正に関する処理を行うようにする。このようにすることにより、周波数補正の為の回路規模の増大等を抑制することができ、より高精度な周波数変換をより容易に実現することができる。
【００８８】
制御部が、少なくとも、発振部の発振周波数と、補正部の補正量とを制御するようにしてもよい。制御部がこのように制御することにより、より高精度な周波数変換をより容易に行うことができる。
【００８９】
制御部が、処理対象の信号の規格に応じた、補正量を補正部に指示するようにしてもよい。例えば、制御部が、処理対象の信号の規格毎に補正量を予め設定しておき、その規格に応じた補正量を選択し、補正部に指示するようにしてもよい。このようにすることにより、補正量決定の処理がより容易になる。
【００９０】
発振部が、入力電圧によって出力周波数を制御する電圧制御発振部と、電圧制御発振部の出力周波数を整数の分周比で分周する分周部と、発振部の入力信号と分周部の出力信号との位相差を電圧に変換して電圧制御発振部に供給する位相比較部とを備え、電圧制御発振部が、位相比較部の出力電圧に基づいて、発振部の出力信号の周波数を制御し、制御部が、電圧制御発振部の出力周波数のステップ幅に基づいて補正量を算出し、算出した補正量を補正部に指示するようにしてもよい。このようにすることにより、電圧制御発振部の出力周波数のステップ幅に基づく、より高精度な周波数変換を、より容易に実現することができる。
【００９１】
発振部が、入力電圧によって出力周波数を制御する電圧制御発振部と、電圧制御発振部の出力周波数を整数の分周比で分周する分周部と、発振部の入力信号と分周部の出力信号との位相差を電圧に変換して電圧制御発振部に供給する位相比較部とを備え、電圧制御発振部が、位相比較部の出力電圧に基づいて、発振部の出力信号の周波数を制御し、制御部が、分周部の分周比のステップ幅に基づいて補正量を算出し、算出した補正量を補正部に指示するようにしてもよい。このようにすることにより、分周部の分周比のステップ幅に基づく、より高精度な周波数変換を、より容易に実現することができる。
【００９２】
なお、本技術は、その一部または全部を、ソフトウエアにより実現するようにしてもよい。
【００９３】
［１−５受信装置における周波数補正］
また、本技術は、信号処理装置としてだけでなく、上述したような信号処理を行う受信装置として実現してもよい。例えば、受信装置が、信号を受信する受信部と、所定の発振周波数で発振する分周比が整数の発振部と、前記発信部の発振により得られた前記発振周波数の信号を用いて、前記受信部により受信された前記信号のRF信号の周波数を変換してIF信号を生成する周波数変換部と、前記周波数変換部により生成された前記IF信号について、前記発振周波数の誤差に基づく前記IF信号の周波数の誤差を補正する補正部とを備えるようにしてもよい。
【００９４】
このようにすることにより、受信装置の構成として、構成が容易な分周比が整数の発振部を用いながら、より高精度な周波数変換を実現することができる。換言するに、受信装置は、より高精度な（小さいステップ幅の）周波数制御を実現しながら、その構成の複雑化を低減することができる。つまり、受信装置は、より高精度な周波数変換をより容易に行うことができる。これにより、受信装置の、周波数変換の高精度制御化に伴う回路規模、処理遅延、消費電力等の増大を抑制することができる。したがって、受信装置の小型化や低消費電力化を容易にし、開発、製造、および運用等のあらゆる面のコストの増大を抑制することができる。
【００９５】
また、少なくとも、前記発振部の前記発振周波数と、前記補正部の補正量とを制御する制御部をさらに備えるようにしてもよい。例えば、この制御部が、補正に関する処理を行うようにする。このようにすることにより、周波数補正の為の回路規模の増大等を抑制することができ、より高精度な周波数変換をより容易に実現することができる。
【００９６】
なお、本技術は、その一部または全部を、ソフトウエアにより実現するようにしてもよい。
【００９７】
［１―６受信装置］
以下により具体的な例について説明する。図４は、受信装置の主な構成例を示すブロック図である。
【００９８】
図４に示される受信装置１００は、本技術を適用した受信装置であり、図示せぬ送信装置から送信された無線信号を受信する受信機能を有する通信装置である。
【００９９】
図４に示されるように、受信装置１００は、アンテナ１０１、RFフィルタ１０２、RFVGA１０３、RFフィルタ１０４、ミキサ１０５、ローカル発振部１０６、IFフィルタ１０７、およびIF信号処理部１１１を有する。受信装置１００は、アンテナ１０１を介して無線信号を受信し、それを電気信号（RF信号）に変換し、そのRF信号を周波数変換してIF信号とし、所望の周波数成分を抽出して出力する。
【０１００】
RFフィルタ１０２は、アンテナ１０１から供給される、アンテナ１０１において受信された無線信号に対応するRF信号（RFIN）に対してフィルタ処理を行い、所定の周波数帯域成分を抽出する。RFフィルタ１０２は、抽出した所定の周波数帯域成分（RF信号）をRFVGA１０３に供給する。
【０１０１】
RFVGA１０３は、RFフィルタ１０２より供給されるRF信号を、信号レベルを安定させるように増幅するゲインアンプである。RFVGA１０３は、増幅したRF信号を、RFフィルタ１０４に供給する。
【０１０２】
RFフィルタ１０４は、RFフィルタ１０２と同様のフィルタであり、RFVGA１０３から供給されるRF信号に対してフィルタ処理を行い、所定の周波数帯域成分を抽出する。RFフィルタ１０４は、抽出した所定の周波数帯域成分（RF信号）をミキサ１０５に供給する。
【０１０３】
ミキサ１０５は、RFフィルタ１０４から供給されるRF信号のRF周波数FRFを、ローカル発振部１０６から供給されるLO信号のLO周波数FLOを用いて変換し、IF周波数FIFのIF信号を生成する。ミキサ１０５は、生成したIF信号をIFフィルタ１０７に供給する。
【０１０４】
ローカル発振部１０６は、所定の周波数（LO周波数FLO）のLO信号（クロック）を生成し、それをミキサ１０５に供給する（LOOUT）。ローカル発振部１０６は、LO周波数FLOの信号を出力するPLLとして、例えば図２に示されるようなInteger-N型のPLLを有する。ローカル発振部１０６は、そのPLLにおいて生成された信号をLO信号としてミキサ１０５に供給する。ミキサ１０５は、RF信号にそのLO信号を乗算することで、RF周波数FRFをIF周波数FIFに周波数変換（ダウンコンバート）する。
【０１０５】
IFフィルタ１０７は、ミキサ１０５から供給されるIF信号に対してフィルタ処理を行い、所望の周波数帯域成分を抽出することにより、所望のチャネルを選択する。IFフィルタ１０７は、選択したチャネルのIF信号をIF信号処理部１１１に供給する。
【０１０６】
IF信号処理部１１１は、IFフィルタ１０７より供給されるIF信号について、その誤差を補正する。
【０１０７】
上述したようにローカル発振部１０６には、Integer-N型のPLLが用いられる。このInteger-N型のPLLは、上述したように分周比Nが整数である。したがって、そのPLLのVCO２７のステップ幅であるΔFVCOは、十分に小さくすることができない。そのため、LO周波数FLOの制御幅（ステップ幅）ΔFLOも十分に小さくすることができない。
【０１０８】
従って、LO周波数FLOに誤差が生じる可能性がある。換言するに、周波数変換後のIF周波数FIFについても同様の理由から誤差が生じる可能性がある。
【０１０９】
そこで、IF信号処理部１１１は、このΔFVCOが十分に小さくないことによるLO周波数FLOの誤差FLO_ERRを補正する。IF信号処理部１１１は、例えば、IFフィルタ１０７から出力されるIF信号を対象として、この補正を行う。なお、IF信号処理部１１１は、ミキサ１０５に入力されるLO信号に対してこの補正を行うようにすることもできるが、最終的に得られるIF信号に対して、それもIFフィルタ１０７により選択したチャネルのIF信号に対してこの補正を行うことにより、不要な成分に対するこの補正の影響を抑制することができる。
【０１１０】
この補正について説明する。例えば、十分高精度な（十分に小さいステップ幅で）周波数変換を行う場合の、所望のLO周波数をFLOとし、ステップ幅が十分小さくないΔFVCOを用いることで丸め込まれたLO周波数をFLO2とすると、LO周波数FLOに対するLO周波数FLO2の誤差をFLO_ERRは、以下の式（７）のように表すことができる。
【０１１１】
FLO2＝FLO＋FLO_ERR  ・・・（７）
【０１１２】
式（１）および（７）から、所望のIF周波数FIFは、以下の式（８）のように求めることができる。
【０１１３】
FIF＝（FLO2−FRF）−FLO_ERR  ・・・（８）
【０１１４】
つまりIF信号処理部１１１は、IFフィルタ１０７から供給される、丸めこまれたIF信号の周波数（FLO2−FRF）から、この誤差FLO_ERRを減算するように補正すればよい。つまり、FLO_ERRが既知の場合、IF信号処理部１１１は、外部からの制御無しにこの補正を行うことができる（IF周波数FIFから所定の周波数FLO_ERRを減算するのみである）。
【０１１５】
IF信号処理部１１１がこのような補正を行うことにより、受信装置１００は、VCO２７の発振周波数FVCOのステップ幅ΔFVCOが十分に小さくなくても、所望のIF周波数FIFのIF信号を得ることができる。つまり、受信装置１００は、ΔFLOが式（３）および（４）を満たさない場合（ΔFRF＜ΔFLOの場合）であっても、十分に高精度な（十分に小さいステップ幅で）周波数変換して得られる所望のIF周波数FIFのIF信号を得ることができる。
【０１１６】
換言するに、受信装置１００は、Integer-N型のPLLをローカル発振部１０６として用いる簡易な構成で、所望のIF周波数FIFのIF信号を得ることができる。つまり、受信装置１００は、より高精度な周波数変換をより容易に行うことができる。
【０１１７】
これにより、受信装置１００の、周波数変換の高精度制御化に伴う回路規模、処理遅延、消費電力等の増大を抑制することができる。したがって、受信装置１００の小型化や低消費電力化を容易にし、開発、製造、および運用等のあらゆる面のコストの増大を抑制することができる。
【０１１８】
なお、図４に示されるように、ミキサ１０５、ローカル発振部１０６、およびIF信号処理部１１１を、１の信号処理部１１０として構成するようにしてもよい。もちろん、この信号処理部１１０の構成に、IFフィルタ１０７を加えるようにしてもよい。また、この信号処理部１１０を、他の構成から独立した１の装置（信号処理装置）として構成するようにしてもよい。
【０１１９】
この場合、信号処理部１１０（信号処理装置）は、上述した受信装置１００の場合と同様の効果を得ることができる。
【０１２０】
また、上述した誤差FLO_ERRとして複数の値が候補となり得る場合、何らかの情報に基づいて、その誤差FLO_ERR（つまりIF周波数FIFの補正量）を決定する必要がある。図４の例の場合、受信装置１００は、制御部１２１を有する。
【０１２１】
制御部１２１は、ローカル発振部１０６とIF信号処理部１１１の動作を制御する。より具体的には、制御部１２１は、所望のLO周波数FLO、分周比M、丸めこまれた発振周波数FVCO2、および、丸めこまれた分周比N2をローカル発振部１０６に供給することにより、その動作を制御する。また、制御部１２１は、誤差FLO_ERRをIF信号処理部１１１に供給することにより、その動作を制御する。
【０１２２】
また、制御部１２１は、これらのパラメータの値を決定する。その決定方法は任意である。
【０１２３】
例えば、信号処理部１１０が周波数変換する信号（つまり、受信装置１００が受信する信号）の規格等に基づいてこれらのパラメータの値を決定するようにしてもよい。例えば、制御部１２１が、各規格に応じた各パラメータの値をまとめたテーブル情報を予め保持しており、そのテーブル情報を参照して、周波数変換を行う信号の規格に応じた値を決定するようにしてもよい。このようにすることにより、制御部１２１は、より容易に各パラメータの値を決定することができ、より容易にローカル発振部１０６やIF信号処理部１１１の処理を制御することができる。
【０１２４】
また、例えば、制御部１２１が、所望のIF周波数FIF、所望のRF周波数FRF、および、ローカル発振部１０６の発振周波数FVCOのステップ幅ΔFVCOを取得し、それらの値に基づいて、上述した各パラメータの値を算出するようにしてもよい。
【０１２５】
より具体的に説明すると、上述した式（５）から、ローカル発振部１０６のVCO２７の発振周波数FVCOの周波数可変ステップ幅ΔFVCOは、ローカル発振部１０６から出力されるLO信号のLO周波数FLOの周波数可変ステップ幅ΔFLOと、ローカル発振部１０６の分周部２８の分周比Mを用いて、以下の式（９）のように表すことができる。
【０１２６】
ΔFVCO＝M×ΔFLO  ・・・（９）
【０１２７】
また、上述した式（６）から、ΔFVCOは、ローカル発振部１０６のカウンタ２９の分周比Nの可変ステップ幅ΔNと、ローカル発振部１０６のInteger-N型のPLLの比較周波数FREFを用いて、以下の式（１０）のように表すことができる。
【０１２８】
ΔFVCO＝ΔN×FREF  ・・・（１０）
【０１２９】
式（９）および式（１０）から、ΔFLOを変化させるためには、分周比M,ΔFVCO,ΔN、若しくは比較周波数FREFのいずれかを変化させる必要がある。
【０１３０】
ただし、分周比Mは整数であるので、分周比Mの値を調整することによりΔFLOを所望の周波数ステップ幅にすることは困難である。また、ローカル発振部１０６は、Integer-N型PLLにより構成されるようにするので、分周比Mを分数にすることも困難である。さらに、比較周波数FREFを変化させるとPLLの特性が変化し、性能に大きな影響を及ぼしてしまう。そのため、比較周波数FREFの値を調整することも困難である。
【０１３１】
したがって、ΔFLOを変化させるには、ΔFVCOを変化させればよい。
【０１３２】
そこで、制御部１２１は、まず、式（１）を用いて、入力された、所望のIF周波数FIF、および、所望のRF周波数FRFから、所望のLO周波数FLOを算出する。また、制御部１２１は、式（５）を用いて、所望のLO周波数FLOから、ローカル発振部１０６のVCO２７の所望の発振周波数FVCOを算出する。
【０１３３】
次に、制御部１２１は、入力された発振周波数の可変ステップ幅ΔFVCOを用いて、FVCOの値を丸めこみ、丸めこまれた発振周波数FVCO2を算出する。そして、制御部１２１は、式（５）を用いて、その丸めこまれた発振周波数FVCO2から、丸めこまれたLO周波数FLO2を算出する。さらに、制御部１２１は、丸めこまれたLO周波数FLO2の、所望のLO周波数FLOに対する誤差FLO_ERRを算出する。
【０１３４】
以上のように各パラメータを算出すると、制御部１２１は、所望のLO周波数FLO、分周比M、丸めこまれた発振周波数FVCO2、および丸めこまれた分周比N2をローカル発振部１０６に供給することにより、ローカル発振部１０６の動作を制御する。この制御にしたがって、ローカル発振部１０６は、丸めこまれたLO周波数FLOのLO信号を生成し、ミキサ１０５に供給する（LOOUT）。
【０１３５】
また、制御部１２１は、算出した誤差FLO_ERRをIF信号処理部１１１に供給することにより、IF信号処理部１１１の動作を制御する。IF信号処理部１１１は、IFフィルタ１０７から供給されるIF信号のIF周波数を、上述した式（８）のように、補正する。
【０１３６】
このような補正により、指定された所望のIF周波数FIFのIF信号が得られる。つまり、制御部１２１は、入力された指定（所望のIF周波数FIF、所望のRF周波数FRF、およびΔFVCOの指定）に基づいて、所望のIF周波数FIFのIF信号を得ることができるように、各部の動作を制御することができる。したがって、受信装置１００は、より高精度な周波数変換をより容易に行うことができる。
【０１３７】
なお、図４に示されるように、上述した信号処理部１１０の構成に、この制御部１２１を加えて、１の信号処理部１２０として構成するようにしてもよい。もちろん、この信号処理部１２０の構成に、IFフィルタ１０７を加えるようにしてもよい。また、この信号処理部１２０を、他の構成から独立した１の装置（信号処理装置）として構成するようにしてもよい。
【０１３８】
この場合、信号処理部１２０（信号処理装置）は、上述した受信装置１００の場合と同様の効果を得ることができる。
【０１３９】
なお、この補正量（誤差FLO_ERR）は、IFフィルタ１０７において選択されるチャネルの帯域幅に比べて小さくすることができる。つまり、IF信号処理部１１１は、同一チャネル内の小さなズレも補正することができる。例えば、チャネル幅が５MHz乃至６MHzであるのに対して、比較周波数FREFは１MHz程度であり、分周比を４とすると、LO周波数は２５０kHz程度である。したがって、その誤差FLO_ERRはさらに小さいスケールとすることができる。
【０１４０】
［１−７IF信号処理部］
図５は、IF信号処理部１１１の主な構成例を示すブロック図である。
【０１４１】
図５に示される例の場合、IF信号処理部１１１は、A/D変換部１３１、ダウンコンバータ１３２、IF信号処理部１３３、アップコンバータ１３４、およびD/A変換部１３５を有する。
【０１４２】
A/D変換部１３１は、IFフィルタ１０７から供給されるアナログのIF信号をA/D変換する。なお、A/D変換部１３１は、誤差FLO_ERRによるIF周波数誤差を許容するため、十分広帯域かつ高ダイナミックレンジであるのが望ましい。A/D変換部１３１は、A/D変換後のIF信号のデジタルデータをダウンコンバータ１３２に供給する。
【０１４３】
ダウンコンバータ１３２は、供給されたIF信号のデジタルデータについてIF周波数をダウンコンバートする。ダウンコンバータ１３２は、ダウンコンバートしたIF信号のデジタルデータをIF信号処理部１３３に供給する。
【０１４４】
IF信号処理部１３３は、入力されたIF信号のデジタルデータについての所望の処理を行う。この処理の内容は任意である。IF信号処理部１３３は、処理後のIF信号のデジタルデータをアップコンバータ１３４に供給する。
【０１４５】
アップコンバータ１３４は、IF信号処理部１３３から供給されるIF信号のデジタルデータについてIF周波数をアップコンバートする。アップコンバータ１３４は、アップコンバートしたIF信号のデジタルデータをD/A変換部１３５に供給する。
【０１４６】
D/A変換部１３５は、供給されたIF信号のデジタルデータをD/A変換する。D/A変換部１３５は、D/A変換後のアナログのIF信号を、IF信号処理部１１１の外部（受信装置１００の外部）に出力する。
【０１４７】
なお、誤差FLO_ERRは、ダウンコンバータ１３２およびアップコンバータ１３４のうち、少なくともいずれか一方による周波数変換において補正（デジタル補正）する。つまり、ダウンコンバータ１３２によるダウンコンバート、若しくは、アップコンバータ１３４によるアップコンバート、又はその両方において、誤差FLO_ERRの一部若しくは全部についてのコンバートを行う。そして、D/A変換部１３５に供給される時点で、この誤差FLO_ERRが補正されているようにする。つまり、ダウンコンバータ１３２によるダウンコンバートと、アップコンバータ１３４によるアップコンバートとの差分が誤差FLO_ERRとなる。
【０１４８】
このようにすることにより、IF信号処理部１１１は、IF信号処理部１３３による信号処理のための構成（ダウンコンバータ１３２およびアップコンバータ１３４）を用いて、誤差FLO_ERRを補正することができる。つまり、IF信号処理部１１１は、容易に誤差FLO_ERRの補正を行うことができる。
【０１４９】
［１−８受信処理の流れ］
図６のフローチャートを参照して、受信処理の流れの例を説明する。
【０１５０】
信号を受信する準備が整うと、受信装置１００は、受信処理を開始する。受信処理が開始されると、ステップＳ１０１において、アンテナ１０１は、信号を受信する。信号の供給が終了され、アンテナ１０１が信号を受信できなかった場合、以下のステップＳ１０２乃至ステップＳ１０９の各処理の実行は省略される。この場合、処理はステップＳ１１０に進む。
【０１５１】
ステップＳ１０２において、RFフィルタ１０２は、ステップＳ１０１の処理により得られたRF信号から所定の周波数帯域を抽出する。
【０１５２】
ステップＳ１０３において、RFVGA１０３は、ステップＳ１０２の処理により抽出された所定の周波数帯域のRF信号を増幅する。
【０１５３】
ステップＳ１０４において、RFフィルタ１０４は、ステップＳ１０３の処理により増幅されたRF信号から所定の周波数帯域を抽出する。
【０１５４】
ステップＳ１０５において、ローカル発振部１０６は、例えば制御部１２１の制御に従って、所定の発振周波数FVCOで発信し、LO周波数FLOを設定する。
【０１５５】
ステップＳ１０６において、ミキサ１０５は、ステップＳ１０５の処理により設定されたLO周波数FLOを用いて、ステップＳ１０４の処理により抽出された所定の周波数帯域のRF信号の周波数変換を行い、IF信号を生成する。
【０１５６】
ステップＳ１０７において、IFフィルタ１０７は、ステップＳ１０６の処理により得られたIF信号について、所望のチャネルを選択する。
【０１５７】
ステップＳ１０８において、IF信号処理部１１１は、例えば制御部１２１の制御に従って、ステップＳ１０７の処理によりチャネルが選択されたIF信号について、IF周波数FIFの誤差FLO_ERRを補正する。
【０１５８】
ステップＳ１０９において、IF信号処理部１１１は、ステップＳ１０８の処理によりIF周波数の誤差が補正されたIF信号を受信装置１００の外部に出力する。
【０１５９】
ステップＳ１１０において、受信装置１００は、受信処理を終了するか否かを判定する。例えば信号の供給が終了していない等、何らかの理由で受信処理を終了しないと判定された場合、処理はステップＳ１０１に戻る。以上のようにして、信号の受信を継続する間、ステップＳ１０１乃至ステップＳ１１０の各処理が繰り返し実行される。
【０１６０】
ステップＳ１１０において、例えば信号の供給が終了する等して、受信処理を終了すると判定された場合、受信処理が終了する。
【０１６１】
このように受信装置１００は、IF周波数FIFの誤差FLO_ERRを補正するので、より高精度な周波数変換をより容易に行うことができる。
【０１６２】
［１−９補正処理の流れ］
次に、図７のフローチャートを参照して、補正処理の流れの例を説明する。制御部１２１は、この補正処理を実行することにより、ローカル発振部１０６やIF信号処理部１１１に供給する各パラメータを算出する。
【０１６３】
補正処理が開始されると、制御部１２１は、ステップＳ１３１において、外部からの、所望のIF周波数FIFの指定、所望のRF周波数FRFの指定、および、ローカル発振部１０６の発振周波数FVCOのステップ幅ΔFVCOの指定を受け付ける。
【０１６４】
ステップＳ１３２において、制御部１２１は、ステップＳ１３１の処理により得られた各パラメータの値を用いて、所望のLO周波数FLOを算出する（FLO＝FRF＋FIF）。
【０１６５】
ステップＳ１３３において、制御部１２１は、LO周波数FLOと発振周波数FVCOの使用範囲から分周比Mを設定する。
【０１６６】
ステップＳ１３４において、制御部１２１は、ステップＳ１３２の処理により算出された所望のLO周波数FLOと、ステップＳ１３３の処理により設定された分周比Mを用いて、所望の発振周波数FVCOの値を算出する（FVCO＝FLO×M）。
【０１６７】
ステップＳ１３５において、制御部１２１は、所望の発振周波数FVCOを、ステップＳ１３１の処理により受け付けたΔFVCOで丸め、丸めこまれた発振周波数FVCO2を求める。
【０１６８】
ステップＳ１３６において、制御部１２１は、ステップＳ１３５の処理により得られた、丸めこまれた発振周波数FVCO2と分周比Mとを用いて、丸めこまれたLO周波数FLO2を算出する（FLO2＝FVCO2／M）。
【０１６９】
ステップＳ１３７において、制御部１２１は、ステップＳ１３５の処理により算出された、丸めこまれた発振周波数FVCO2、および、比較周波数FREFを用いて、丸めこまれた分周比N2を求める（N2＝FVCO2／FREF）。
【０１７０】
ステップＳ１３８において、制御部１２１は、誤差FLO_ERRを、丸めこまれたLO周波数FLO2、および、所望のLO周波数FLOを用いて算出する（FLO_ERR＝FLO2−FLO）。
【０１７１】
ステップＳ１３９において、制御部１２１は、以上のように算出された、丸めこまれたLO周波数FLO2、分周比M、丸めこまれた発振周波数FVCO2、および丸めこまれた分周比N2をローカル発振部１０６に供給する。
【０１７２】
ステップＳ１４０において、制御部１２１は、ステップＳ１３８の処理により算出された誤差FLO_ERRをIF信号処理部１１１に供給する。
【０１７３】
ステップＳ１４０の処理が終了すると、補正処理が終了される。
【０１７４】
以上のように補正処理を行うことにより、制御部１２１は、ローカル発振部１０６およびIF信号処理部１１１を制御してIF周波数の誤差を補正させることができる。これにより受信装置１００は、所望のIF周波数FIFのIF信号を得ることができる。
【０１７５】
＜２．第２の実施の形態＞
［２−１受信装置］
なお、以上においては、ΔFLOを変化させるためにΔFVCOを変化させるように説明したが、式（９）および式（１０）から分かるように、ΔFVCOの代わりに分周比Nのステップ幅ΔNを変化させることによって、ΔFLOを変化させるようにしてもよい。
【０１７６】
図８は、この場合の受信装置の主な構成例を示すブロック図である。図８に示される受信装置２００は、本技術を適用した受信装置であり、基本的に受信装置１００と同様の装置であり、同様の構成を有し、同様の処理を行う。ただし、受信装置２００は、受信装置１００の制御部１２１の代わりに制御部２２１を有する。
【０１７７】
つまり、受信装置２００は、信号処理部１２０の代わりに信号処理部２２０を有する。換言するに、信号処理部２２０は、基本的に信号処理部１２０と同様の処理部であり、同様の構成を有し、同様の処理を行うが、制御部１２１の代わりに制御部２２１を有する。なお、この信号処理部２２０は、信号処理部１２０の場合と同様に、他の構成から独立した１の装置（信号処理装置）として構成するようにしてもよい。この場合、信号処理部２２０（信号処理装置）は、受信装置２００の場合と同様の効果を得ることができる。
【０１７８】
制御部２２１は、基本的に制御部１２１と同様の処理部であり、同様の構成を有し、同様の処理を行うが、ΔFVCOを受け付ける代わりにΔNを受け付ける。
【０１７９】
つまり、制御部２２１は、所望のIF周波数FIF、所望のRF周波数FRF、および、カウンタ２９の分周比Nの可変ステップ幅ΔNを取得し、それらの値に基づいて、所望のLO周波数FLO、分周比M、丸めこまれた発振周波数FVCO2、丸めこまれた分周比N2、および誤差FLO_ERRを算出する。制御部２２１は、所望のLO周波数FLO、分周比M、丸めこまれた発振周波数FVCO2、および、丸めこまれた分周比N2をローカル発振部１０６に供給することにより、その動作を制御する。また、制御部２２１は、誤差FLO_ERRをIF信号処理部１１１に供給することにより、その動作を制御する。
【０１８０】
このようにすることにより、制御部２２１は、ΔNを用いても、第1の実施の形態の制御部１２１の場合と同様に、ローカル発振部１０６およびIF信号処理部１１１を制御することができる。これにより、受信装置２００は、受信装置１００の場合と同様に、より高精度な周波数変換をより容易に行うことができる。
【０１８１】
ただし、ΔFVCOを与える第１の実施の形態の場合もΔNを与える第２の実施の形態の場合も、丸めこまれたLO周波数FLO2を算出するのに、丸めこまれた発振周波数FVCO2を算出する必要がある。したがって、ΔFVCOを与えFVCOを丸めこむ、第１の実施の形態で説明した手法の方が処理を速くすることができる可能性がある。
【０１８２】
［２−２補正処理の流れ］
受信装置２００による受信処理は、受信装置１００による受信処理と同様に行われる。つまり、第１の実施の形態において図６のフローチャートを参照して行った説明は、受信装置２００による受信処理の説明としても適用することができる。したがって、受信装置２００により実行される受信処理の説明は、省略する。
【０１８３】
図９のフローチャートを参照して、補正処理の流れの例を説明する。この場合の補正処理は、第１の実施の形態において図７のフローチャートを参照して説明した補正処理と基本的に同様の処理が同様に実行される。
【０１８４】
ただし、ステップＳ２３１において、制御部２２１は、外部からの、所望のIF周波数FIFの指定、所望のRF周波数FRFの指定、および、ローカル発振部１０６のカウンタ２９のステップ幅ΔNの指定を受け付ける。
【０１８５】
ステップＳ２３２乃至ステップＳ２３４の各処理は、図７のステップＳ１３２乃至ステップＳ１３４の各処理と同様に実行される。
【０１８６】
ステップＳ２３５において、制御部２２１は、分周比Nを、ステップＳ２３１において取得したΔNで丸め、丸めこまれた分周比N2を算出する。
【０１８７】
ステップＳ２３６において、制御部２２１は、ステップＳ２３５の処理により算出された、丸めこまれた分周比N2、および、ローカル発振部１０６のInteger-N型のPLLの比較周波数FREFを用いて、丸めこまれた発振周波数FVCO2を算出する。
【０１８８】
ステップＳ２３７の処理は、図７のステップＳ１３６の処理と同様に実行される。
【０１８９】
ステップＳ２３８乃至ステップＳ２４０の各処理は、図７のステップＳ１３８乃至ステップＳ１４０の各処理と同様に実行される。
【０１９０】
以上のように補正処理を行うことにより、制御部２２１は、ローカル発振部１０６およびIF信号処理部１１１を制御してIF周波数の誤差を補正させることができる。これにより受信装置２００は、受信装置１００の場合と同様に、所望のIF周波数FIFのIF信号を得ることができる。つまり、受信装置２００は、受信装置１００の場合と同様に、より高精度な周波数変換をより容易に行うことができる。
【０１９１】
＜３．第３の実施の形態＞
［３−１送信装置］
また、本技術は、受信装置や信号処理装置に限らず、送信装置にも適用することができる。図１０は、送信装置の主な構成例を示すブロック図である。
【０１９２】
図１０に示される送信装置３１０は、図１に示される受信装置１０に対応する送信装置である。つまり、送信装置３１０は、外部より入力されるIF信号を周波数変換してRF信号にし、そのRF信号を無線信号として送信する機能を有する通信装置である。送信装置３１０から送信された無線信号は、例えば、図１の受信装置１０により受信される。
【０１９３】
つまり、送信装置３１０の場合、信号処理の流れの向きが受信装置１０の場合と逆になるのみで、基本的に受信装置１０と同様の処理が行われる。
【０１９４】
図１０に示されるように、送信装置３１０は、IFVGA３１１、IFフィルタ３１２、ローカル発振部３１３、ミキサ３１４、RFフィルタ３１５、RFVGA３１６、RFフィルタ３１７、およびアンテナ３１８を有する。
【０１９５】
IFVGA３１１は、受信装置１０の外部（例えば、変調されているIF信号を復調する復調処理部（DEMOD）等の前段の処理部）から供給されるIF信号を取得する（IFIN）。IFVGA３１１は、取得したIF信号を、信号レベルを安定させるように増幅する。IFVGA３１１は、増幅したIF信号を、IFフィルタ３１２に供給する。
【０１９６】
IFフィルタ３１２は、IFVGA３１１から供給されるIF信号に対してフィルタ処理を行い、所望の周波数帯域成分を抽出することにより、所望のチャネルを選択する。IFフィルタ３１２は、選択したチャネルのIF信号をミキサ３１４に供給する。
【０１９７】
ローカル発振部３１３は、所定の周波数（LO周波数FLO）のLO信号（クロック）を生成し、それをミキサ３１４に供給する。ローカル発振部３１３は、LO周波数FLOの信号を出力するPLL（Phase Locked Loop）を有し、そのPLLにおいて生成された信号をLO信号としてミキサ３１４に供給する。
【０１９８】
ミキサ３１４は、IFフィルタ３１２から供給されるIF信号のIF周波数FIFを、ローカル発振部３１３から供給されるLO信号のLO周波数FLOを用いて変換し、RF周波数FRFのRF信号を生成する。例えば、ミキサ３１４は、IF信号からLO信号を除算することで、IF周波数FIFをRF周波数FRFに周波数変換（アップコンバート）する。ミキサ３１４は、生成したRF信号をRFフィルタ３１５に供給する。
【０１９９】
RFフィルタ３１５は、ミキサ３１４から供給されるRF信号に対してフィルタ処理を行い、所定の周波数帯域成分を抽出する。RFフィルタ３１５は、抽出した所定の周波数帯域成分（RF信号）をRFVGA３１６に供給する。
【０２００】
RFVGA３１６は、RFフィルタ３１５から供給されるRF信号を、信号レベルを安定させるように増幅する。RFVGA３１６は、増幅したRF信号を、RFフィルタ３１７に供給する。
【０２０１】
RFフィルタ３１７は、RFフィルタ３１５と同様のフィルタであり、RFVGA３１６から供給されるRF信号に対してフィルタ処理を行い、所定の周波数帯域成分を抽出する。RFフィルタ３１７は、抽出した所定の周波数帯域成分（RF信号）をアンテナ３１８に供給し、そのRF信号を、アンテナ３１８を介して、無線信号として送信させる。
【０２０２】
このような送信装置３１０においても、受信装置１０の場合と同様の問題が生じる恐れがある。つまり、ローカル発振部３１３として、構成が簡易なInteger-N型のPLL（図２）を適用する場合、送信装置３１０は、受信装置１０の場合と同様に、ΔFVCOおよびΔFLOを小さくすることが困難であり、発振周波数FVCOやLO周波数FLOを、十分に高精度に（十分に小さいステップ幅で）制御することができない恐れがあった。
【０２０３】
これに対して、Fractional-N型のPLL（図３）をローカル発振部３１３として適用する場合、ローカル発振部３１３の構成がより複雑になる恐れがあった。そのため、回路規模が増大して占有面積が増大したり、処理遅延が増大したり、消費電力が増大したりする恐れがあった。また、これらにより、小型化や低消費電力化等の設計が困難になる恐れがあった。さらに、これらによって、例えば、開発、製造、および運用等、あらゆる面でのコストが増大する恐れがあった。
【０２０４】
［３−２送信装置における周波数補正］
そこで、このような送信装置の場合も、Fractional-N型のPLLを用いる代わりに、Integer-N型のPLLを用い、さらに、IF周波数FIFに生じる誤差を補正するようにする。つまり、上述したように、Integer-N型のPLLを用いる場合、IF周波数FIFの制御の精度が、Fractional-N型のPLLを用いる場合よりも低くなる（ステップ幅が大きくなる）恐れがあるが、その精度（ステップ幅）の違いにより生じるIF周波数FIFの誤差、すなわち、LO周波数FLOの誤差を補正するようにする。
【０２０５】
ただし、送信装置の場合、上述したように受信装置の場合と処理の流れが逆であるので、IF周波数の補正を、IF信号をRF信号に変換する周波数変換よりも前に行う。
【０２０６】
例えば、所定の発振周波数で発振する分周比が整数の発振部と、IF信号について、発振周波数の誤差に基づくIF信号の周波数の誤差を補正する補正部と、発信部の発振により得られた発振周波数の信号を用いて、補正部により誤差が補正されたIF信号の周波数を変換してRF信号を生成する周波数変換部と、周波数変換部により生成されたRF信号を送信する送信部とを備えるようにする。
【０２０７】
このようにすることにより、送信装置の構成として、構成が容易な分周比が整数の発振部を用いながら、より高精度な周波数変換を実現することができる。換言するに、送信装置は、より高精度な（小さいステップ幅の）周波数制御を実現しながら、その構成の複雑化を低減することができる。つまり、送信装置は、より高精度な周波数変換をより容易に行うことができる。これにより、送信装置の、周波数変換の高精度制御化に伴う回路規模、処理遅延、消費電力等の増大を抑制することができる。したがって、送信装置の小型化や低消費電力化を容易にし、開発、製造、および運用等のあらゆる面のコストの増大を抑制することができる。
【０２０８】
また、少なくとも、発振部の発振周波数と、補正部の補正量とを制御する制御部をさらに備えるようにしてもよい。例えば、この制御部が、補正に関する処理を行うようにする。このようにすることにより、周波数補正の為の回路規模の増大等を抑制することができ、より高精度な周波数変換をより容易に実現することができる。
【０２０９】
なお、本技術は、その一部または全部を、ソフトウエアにより実現するようにしてもよい。
【０２１０】
［３−３送信装置］
以下により具体的な例について説明する。図１１は、送信装置の主な構成例を示すブロック図である。
【０２１１】
図１１に示される送信装置４００は、本技術を適用した送信装置であり、外部から入力された信号を無線信号として送信する送信機能を有する通信装置である。
【０２１２】
図１１に示されるように、送信装置４００は、基本的に送信装置３１０（図１０）と同様の構成を有する。また、送信装置４００は、受信装置１００の場合と同様に、送信装置３１０のIFVGA３１１の代わりにIF信号処理部４１１を有する。
【０２１３】
IF信号処理部４１１は、基本的にIF信号処理部１１１と同様の処理部であり、外部から供給されるIF信号について、ミキサ３１４において行われる周波数変換により生じる誤差の補正を行う。
【０２１４】
送信装置４００では、ローカル発振部３１３として、構成が簡易なInteger-N型のPLLが適用される。このInteger-N型のPLLは、上述したように分周比Nが整数である。したがって、第１の実施の形態において説明したように、LO周波数FLOの制御幅（ステップ幅）ΔFLOも十分に小さくすることができない。
【０２１５】
従って、LO周波数FLOに誤差が生じる可能性がある。つまり、ミキサ３１４における周波数変換では、ミキサ１０５における周波数変換の場合と同様の理由によりIF周波数FIFに同様の誤差FLO_ERRが生じる可能性がある。
【０２１６】
そこで、IF信号処理部４１１は、IF信号に対して、IF信号処理部１１１と同様の補正を行えばよい。つまり、FLO_ERRが既知の場合、IF信号処理部４１１は、外部からの制御無しにこの補正を行うことができる（IF周波数FIFから所定の周波数FLO_ERRを減算するのみである）。ただし、IF信号処理部４１１は、ミキサ３１４による周波数変換が行われる前のIF信号に対してこの補正を行う。つまり、誤差が生じる前に、誤差分が補正される。
【０２１７】
IF信号処理部４１１がこのような補正を行うことにより、送信装置４００は、VCO２７の発振周波数FVCOのステップ幅ΔFVCOが十分に小さくなくても、所望のIF周波数FIFのIF信号を得ることができる。つまり、送信装置４００は、ΔFLOが式（３）および（４）を満たさない場合（ΔFRF＜ΔFLOの場合）であっても、十分に高精度な（十分に小さいステップ幅で）周波数変換して得られる所望のRF周波数FRFのRF信号を得ることができる。
【０２１８】
換言するに、送信装置４００は、Integer-N型のPLLをローカル発振部３１３として用いる簡易な構成で、所望のRF周波数FRFのRF信号を得ることができる。つまり、送信装置４００は、より高精度な周波数変換をより容易に行うことができる。
【０２１９】
これにより、送信装置４００の、周波数変換の高精度制御化に伴う回路規模、処理遅延、消費電力等の増大を抑制することができる。したがって、送信装置４００の小型化や低消費電力化を容易にし、開発、製造、および運用等のあらゆる面のコストの増大を抑制することができる。
【０２２０】
なお、図１１に示されるように、ミキサ３１４、ローカル発振部３１３、およびIF信号処理部４１１を、１の信号処理部４１０として構成するようにしてもよい。もちろん、この信号処理部１１０の構成に、IFフィルタ３１２を加えるようにしてもよい。また、この信号処理部４１０を、他の構成から独立した１の装置（信号処理装置）として構成するようにしてもよい。
【０２２１】
この場合、信号処理部４１０（信号処理装置）は、上述した送信装置４００の場合と同様の効果を得ることができる。
【０２２２】
また、上述した誤差FLO_ERRとして複数の値が候補となり得る場合、何らかの情報に基づいて、その誤差FLO_ERR（つまりIF周波数FIFの補正量）を決定する必要がある。図１１の例の場合、送信装置４００は、制御部４２１を有する。
【０２２３】
制御部４２１は、ローカル発振部３１３とIF信号処理部４１１の動作を制御する。より具体的には、制御部４２１は、所望のLO周波数FLO、分周比M、丸めこまれた発振周波数FVCO2、および、丸めこまれた分周比N2をローカル発振部３１３に供給することにより、その動作を制御する。また、制御部４２１は、誤差FLO_ERRをIF信号処理部４１１に供給することにより、その動作を制御する。
【０２２４】
また、制御部４２１は、これらのパラメータの値を決定する。その決定方法は任意である。
【０２２５】
例えば、信号処理部４１０が周波数変換する信号（つまり、送信装置４００が送信する信号）の規格等に基づいてこれらのパラメータの値を決定するようにしてもよい。例えば、制御部４２１が、各規格に応じた各パラメータの値をまとめたテーブル情報を予め保持しており、そのテーブル情報を参照して、周波数変換を行う信号の規格に応じた値を決定するようにしてもよい。このようにすることにより、制御部４２１は、より容易に各パラメータの値を決定することができ、より容易にローカル発振部３１３やIF信号処理部４１１の処理を制御することができる。
【０２２６】
また、例えば、制御部４２１が、所望のIF周波数FIF、所望のRF周波数FRF、および、ローカル発振部３１３の発振周波数FVCOのステップ幅ΔFVCOを取得し、それらの値に基づいて、上述した各パラメータの値を算出するようにしてもよい。
【０２２７】
式（９）および（１０）を参照して上述したように、ΔFLOを変化させるには、ΔFVCOを変化させればよい。
【０２２８】
そこで、制御部４２１は、まず、式（１）を用いて、入力された、所望のIF周波数FIF、および、所望のRF周波数FRFから、所望のLO周波数FLOを算出する。また、制御部４２１は、式（５）を用いて、所望のLO周波数FLOから、ローカル発振部３１３のVCO２７の所望の発振周波数FVCOを算出する。
【０２２９】
次に、制御部４２１は、入力された発振周波数の可変ステップ幅ΔFVCOを用いて、FVCOの値を丸めこみ、丸めこまれた発振周波数FVCO2を算出する。そして、制御部４２１は、式（５）を用いて、その丸めこまれた発振周波数FVCO2から、丸めこまれたLO周波数FLO2を算出する。さらに、制御部４２１は、丸めこまれたLO周波数FLO2の、所望のLO周波数FLOに対する誤差FLO_ERRを算出する。
【０２３０】
以上のように各パラメータを算出すると、制御部４２１は、所望のLO周波数FLO、分周比M、丸めこまれた発振周波数FVCO2、および丸めこまれた分周比N2をローカル発振部３１３に供給することにより、ローカル発振部３１３の動作を制御する。この制御にしたがって、ローカル発振部３１３は、丸めこまれたLO周波数FLOのLO信号を生成し、ミキサ３１４に供給する（LOOUT）。
【０２３１】
また、制御部４２１は、算出した誤差FLO_ERRをIF信号処理部４１１に供給することにより、IF信号処理部４１１の動作を制御する。IF信号処理部４１１は、送信装置４００の外部から供給されるIF信号のIF周波数を、上述した式（８）のように補正する。
【０２３２】
このような補正により、後に行われる周波数変換において生じる誤差分が補正されたIF信号が得られる。つまり、制御部４２１は、入力された指定（所望のIF周波数FIF、所望のRF周波数FRF、およびΔFVCOの指定）に基づいて、所望のRF周波数FRFのRF信号を得ることができるように、各部の動作を制御することができる。したがって、送信装置４００は、より高精度な周波数変換をより容易に行うことができる。
【０２３３】
なお、図１１に示されるように、上述した信号処理部４１０の構成に、この制御部４２１を加えて、１の信号処理部４２０として構成するようにしてもよい。もちろん、この信号処理部４２０の構成に、IFフィルタ３１２を加えるようにしてもよい。また、この信号処理部４２０を、他の構成から独立した１の装置（信号処理装置）として構成するようにしてもよい。
【０２３４】
この場合、信号処理部４２０（信号処理装置）は、上述した送信装置４００の場合と同様の効果を得ることができる。
【０２３５】
なお、この補正量（誤差FLO_ERR）は、第1の実施の形態の場合と同様に、IFフィルタ３１２において選択されるチャネルの帯域幅に比べて小さくすることができる。つまり、IF信号処理部４１１は、同一チャネル内の小さなズレも補正することができる。
【０２３６】
なお、IF信号処理部４１１の構成は、IF信号処理部１１１の場合と同様にすることができる。つまり、IF信号処理部４１１の構成を、図５に示される例のようにしてもよい。
【０２３７】
［３−４送信処理の流れ］
図１２のフローチャートを参照して、送信処理の流れの例を説明する。
【０２３８】
信号を送信する準備が整うと、送信装置４００は、送信処理を開始する。送信処理が開始されると、ステップＳ４０１において、IF信号処理部４１１は、送信装置４００の外部から供給されるIF信号入力を受け付ける。このIF信号の供給が終了されると、以下のステップＳ４０２乃至ステップＳ４０９の各処理の実行は省略される。この場合、処理はステップＳ４１０に進む。
【０２３９】
ステップＳ４０２において、IF信号処理部４１１は、例えば制御部４２１の制御に従って、ステップＳ４０１の処理により受け付けられたIF信号について、IF周波数FIFの誤差FLO_ERRを補正する。
【０２４０】
ステップＳ４０３において、IFフィルタ３１２は、ステップＳ４０２の処理によりIF周波数FIFを補正されたIF信号について、所望のチャネルを選択する。
【０２４１】
ステップＳ４０４において、ローカル発振部３１３は、例えば制御部４２１の制御に従って、所定の発振周波数FVCOで発信し、LO周波数FLOを設定する。
【０２４２】
ステップＳ４０５において、ミキサ３１４は、ステップＳ４０４の処理により設定されたLO周波数FLOを用いて、ステップＳ４０３の処理によりチャネルが選択されたIF信号の周波数変換を行い、RF信号を生成する。
【０２４３】
ステップＳ４０６において、RFフィルタ３１５は、ステップＳ４０５の処理により得られたRF信号から所定の周波数帯域を抽出する。
【０２４４】
ステップＳ４０７において、RFVGA３１６は、ステップＳ４０６の処理により抽出された所定の周波数帯域のRF信号を増幅する。
【０２４５】
ステップＳ４０８において、RFフィルタ３１７は、ステップＳ４０７の処理により増幅されたRF信号から所定の周波数帯域を抽出する。
【０２４６】
ステップＳ４０９において、RFフィルタ３１７は、ステップＳ４０８の処理により抽出された所定の周波数帯域のRF信号をアンテナ３１８に供給し、アンテナ３１８を介して無線信号として送信させる。
【０２４７】
ステップＳ４１０において、送信装置４００は、送信処理を終了するか否かを判定する。例えばIF信号の供給が終了していない等、何らかの理由で送信処理を終了しないと判定された場合、処理はステップＳ４０１に戻る。以上のようにして、信号の送信を継続する間、ステップＳ４０１乃至ステップＳ４１０の各処理が繰り返し実行される。
【０２４８】
ステップＳ４１０において、例えばIF信号の供給が終了する等して、送信処理を終了すると判定された場合、送信処理が終了する。
【０２４９】
このように送信装置４００は、IF周波数FIFの誤差FLO_ERRを補正するので、より高精度な周波数変換をより容易に行うことができる。
【０２５０】
なお、制御部４２１は、補正処理を、図７のフローチャートを参照して説明した受信装置１００の場合と同様に行う。したがって、この説明は省略する。
【０２５１】
＜４．第４の実施の形態＞
［４−１送信装置］
なお、送信装置の場合も、上述した受信装置の場合と同様に、ΔFVCOの代わりに分周比Nのステップ幅ΔNを変化させることによって、ΔFLOを変化させるようにすることもできる。
【０２５２】
図１３は、この場合の送信装置の主な構成例を示すブロック図である。図１３に示される送信装置５００は、本技術を適用した送信装置であり、基本的に送信装置４００と同様の装置であり、同様の構成を有し、同様の処理を行う。ただし、送信装置５００は、送信装置４００の制御部４２１の代わりに制御部５２１を有する。
【０２５３】
つまり、送信装置５００は、信号処理部４２０の代わりに信号処理部５２０を有する。換言するに、信号処理部５２０は、基本的に信号処理部４２０と同様の処理部であり、同様の構成を有し、同様の処理を行うが、制御部４２１の代わりに制御部５２１を有する。なお、この信号処理部５２０は、信号処理部４２０の場合と同様に、他の構成から独立した１の装置（信号処理装置）として構成するようにしてもよい。この場合、信号処理部５２０（信号処理装置）は、送信装置４００の場合と同様の効果を得ることができる。
【０２５４】
制御部５２１は、基本的に制御部４２１と同様の処理部であり、同様の構成を有し、同様の処理を行うが、ΔFVCOを受け付ける代わりにΔNを受け付ける。
【０２５５】
つまり、制御部５２１は、所望のIF周波数FIF、所望のRF周波数FRF、および、カウンタ２９の分周比Nの可変ステップ幅ΔNを取得し、それらの値に基づいて、所望のLO周波数FLO、分周比M、丸めこまれた発振周波数FVCO2、丸めこまれた分周比N2、および誤差FLO_ERRを算出する。制御部５２１は、所望のLO周波数FLO、分周比M、丸めこまれた発振周波数FVCO2、および、丸めこまれた分周比N2をローカル発振部３１３に供給することにより、その動作を制御する。また、制御部５２１は、誤差FLO_ERRをIF信号処理部４１１に供給することにより、その動作を制御する。
【０２５６】
このようにすることにより、制御部５２１は、ΔNを用いても、第３の実施の形態の制御部４２１の場合と同様に、ローカル発振部３１３およびIF信号処理部４１１を制御することができる。これにより、送信装置５００は、送信装置４００の場合と同様に、より高精度な周波数変換をより容易に行うことができる。
【０２５７】
ただし、ΔFVCOを与える第３の実施の形態の場合もΔNを与える第４の実施の形態の場合も、丸めこまれたLO周波数FLO2を算出するのに、丸めこまれた発振周波数FVCO2を算出する必要がある。したがって、ΔFVCOを与えFVCOを丸めこむ、第３の実施の形態で説明した手法の方が処理を速くすることができる可能性がある。
【０２５８】
なお、送信装置５００による送信処理は、送信装置４００による受信処理と同様であり、第３の実施の形態において図１２のフローチャートを参照して行った説明は、送信装置５００による送信処理の説明としても適用することができる。したがって、送信装置５００により実行される送信処理の説明は、省略する。
【０２５９】
また、制御部５２１は、補正処理を、図９のフローチャートを参照して説明した受信装置２００の場合と同様に行う。したがって、この説明は省略する。
【０２６０】
［付記］
なお、以上においては、各送信装置および各受信装置が、無線信号を送受信するように説明したが、これらの装置が行う通信における信号の伝送媒体は任意である。つまり、例えば、本技術は、有線通信を行う送信装置や受信装置にも適用することができる。また、有線通信と無線通信との両方を行う送信装置や受信装置にも適用することができる。
【０２６１】
さらに、本技術は、信号を送信する送信機能と信号を受信する受信機能の両方を備える送受信装置にも適用することができる。その場合、送信機能および受信機能の内、少なくともいずれか一方に本技術を適用することができる。
【０２６２】
さらに、本技術は、少なくとも、上述した各実施の形態において説明した周波数変換を行う信号処理機能を有する装置であれば、どのような装置にも適用することができる。例えば、本技術は、上述した送信機能および受信機能の内、少なくともいずれか一方を有する他の装置にも適用することができる。以下にその具体例について説明する。
【０２６３】
＜５．第５の実施の形態＞
［表示装置］
図１４は、以上のような受信装置（受信装置１００若しくは受信装置２００）を処理部として用いた表示装置の主な構成例を示すブロック図である。図１４に示される表示装置６００は、画像信号を含む放送波（例えば、テレビジョン信号）を受信する受信装置であり、また、その受信した放送波に含まれる画像信号に対応する画像を表示する装置である。表示装置６００は、例えば、アンテナ６０１、チューナ６０２、デマルチプレクサ６０３、デコーダ６０４、映像信号処理部６０５、表示部６０６、音声信号処理部６０７、スピーカ６０８、外部インタフェース６０９、制御部６１０、ユーザインタフェース６１１、及びバス６１２を備える。
【０２６４】
チューナ６０２は、アンテナ６０１を介して受信される放送信号から所望のチャネルの信号を抽出し、抽出した信号を復調する。そして、チューナ６０２は、復調により得られた符号化ビットストリームをデマルチプレクサ６０３へ出力する。即ち、チューナ６０２は、画像が符号化されている符号化ストリームを受信する、表示装置６００における伝送部としての役割を有する。
【０２６５】
デマルチプレクサ６０３は、符号化ビットストリームから視聴対象の番組の映像ストリーム及び音声ストリームを分離し、分離した各ストリームをデコーダ６０４へ出力する。また、デマルチプレクサ６０３は、符号化ビットストリームからEPG（Electronic Program Guide）などの補助的なデータを抽出し、抽出したデータを制御部６１０に供給する。なお、デマルチプレクサ６０３は、符号化ビットストリームがスクランブルされている場合には、デスクランブルを行ってもよい。
【０２６６】
デコーダ６０４は、デマルチプレクサ６０３から入力される映像ストリーム及び音声ストリームを復号する。そして、デコーダ６０４は、復号処理により生成される映像データを映像信号処理部６０５へ出力する。また、デコーダ６０４は、復号処理により生成される音声データを音声信号処理部６０７へ出力する。
【０２６７】
映像信号処理部６０５は、デコーダ６０４から入力される映像データを再生し、表示部６０６に映像を表示させる。また、映像信号処理部６０５は、ネットワークを介して供給されるアプリケーション画面を表示部６０６に表示させてもよい。また、映像信号処理部６０５は、映像データについて、設定に応じて、例えばノイズ除去などの追加的な処理を行ってもよい。さらに、映像信号処理部６０５は、例えばメニュー、ボタン又はカーソルなどのGUI（Graphical User Interface）の画像を生成し、生成した画像を出力画像に重畳してもよい。
【０２６８】
表示部６０６は、映像信号処理部６０５から供給される駆動信号により駆動され、表示デバイス（例えば、液晶ディスプレイ、プラズマディスプレイ又はOELD（Organic Electro Luminescence Display）（有機ELディスプレイ）など）の映像面上に映像又は画像を表示する。
【０２６９】
音声信号処理部６０７は、デコーダ６０４から入力される音声データについてD/A変換及び増幅などの再生処理を行い、スピーカ６０８から音声を出力させる。また、音声信号処理部６０７は、音声データについてノイズ除去などの追加的な処理を行ってもよい。
【０２７０】
外部インタフェース６０９は、表示装置６００と外部機器又はネットワークとを接続するためのインタフェースである。例えば、外部インタフェース６０９を介して受信される映像ストリーム又は音声ストリームが、デコーダ６０４により復号されてもよい。即ち、外部インタフェース６０９もまた、画像が符号化されている符号化ストリームを受信する、表示装置６００における伝送部としての役割を有する。
【０２７１】
制御部６１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、表示装置６００の起動時にCPUにより読み込まれ、実行される。CPUは、プログラムを実行することにより、例えばユーザインタフェース６１１から入力される操作信号に応じて、表示装置６００の動作を制御する。
【０２７２】
ユーザインタフェース６１１は、制御部６１０と接続される。ユーザインタフェース６１１は、例えば、ユーザが表示装置６００を操作するためのボタン及びスイッチ、並びに遠隔制御信号の受信部などを有する。ユーザインタフェース６１１は、これら構成要素を介してユーザによる操作を検出して操作信号を生成し、生成した操作信号を制御部６１０へ出力する。
【０２７３】
バス６１２は、チューナ６０２、デマルチプレクサ６０３、デコーダ６０４、映像信号処理部６０５、音声信号処理部６０７、外部インタフェース６０９及び制御部６１０を相互に接続する。
【０２７４】
このように構成された表示装置６００のアンテナ６０１およびチューナ６０２に、上述した、受信装置１００若しくは受信装置２００が用いられる。したがって、表示装置６００は、より高精度な周波数変換をより容易に行うことができる。
【０２７５】
＜６．第６の実施の形態＞
［通信装置］
図１５は、上述した実施形態を適用した通信装置の概略的な構成の一例を示している。図１５に示される通信装置７００は、例えばユーザと通信相手との通話に関する通信を行う携帯電話機であり、アンテナ７０１、通信部７０２、音声コーデック７０３、スピーカ７０４、マイクロホン７０５、カメラ部７０６、画像処理部７０７、多重分離部７０８、記録再生部７０９、表示部７１０、制御部７１１、操作部７１２、及びバス７１３を備える。
【０２７６】
アンテナ７０１は、通信部７０２に接続される。スピーカ７０４及びマイクロホン７０５は、音声コーデック７０３に接続される。操作部７１２は、制御部７１１に接続される。バス７１３は、通信部７０２、音声コーデック７０３、カメラ部７０６、画像処理部７０７、多重分離部７０８、記録再生部７０９、表示部７１０、及び制御部７１１を相互に接続する。
【０２７７】
通信装置７００は、音声通話モード、データ通信モード、撮影モード及びテレビ電話モードを含む様々な動作モードで、音声信号の送受信、電子メール又は画像データの送受信、画像の撮像、及びデータの記録などの動作を行う。
【０２７８】
音声通話モードにおいて、マイクロホン７０５により生成されるアナログ音声信号は、音声コーデック７０３に供給される。音声コーデック７０３は、アナログ音声信号を音声データへ変換し、変換された音声データをA/D変換し圧縮する。そして、音声コーデック７０３は、圧縮後の音声データを通信部７０２へ出力する。通信部７０２は、音声データを符号化及び変調し、送信信号を生成する。そして、通信部７０２は、生成した送信信号を、アンテナ７０１を介して基地局（図示せず）へ送信する。また、通信部７０２は、アンテナ７０１を介して受信される無線信号を増幅し及び周波数変換し、受信信号を取得する。そして、通信部７０２は、受信信号を復調及び復号して音声データを生成し、生成した音声データを音声コーデック７０３へ出力する。音声コーデック７０３は、音声データを伸張し及びD/A変換し、アナログ音声信号を生成する。そして、音声コーデック７０３は、生成した音声信号をスピーカ７０４に供給して音声を出力させる。
【０２７９】
また、データ通信モードにおいて、例えば、制御部７１１は、操作部７１２を介するユーザによる操作に応じて、電子メールを構成する文字データを生成する。また、制御部７１１は、文字を表示部７１０に表示させる。また、制御部７１１は、操作部７１２を介するユーザからの送信指示に応じて電子メールデータを生成し、生成した電子メールデータを通信部７０２へ出力する。通信部７０２は、電子メールデータを符号化及び変調し、送信信号を生成する。そして、通信部７０２は、生成した送信信号を、アンテナ７０１を介して基地局（図示せず）へ送信する。また、通信部７０２は、アンテナ７０１を介して受信される無線信号を増幅し及び周波数変換し、受信信号を取得する。そして、通信部７０２は、受信信号を復調及び復号して電子メールデータを復元し、復元した電子メールデータを制御部７１１へ出力する。制御部７１１は、表示部７１０に電子メールの内容を表示させると共に、電子メールデータを記録再生部７０９の記憶媒体に記憶させる。
【０２８０】
記録再生部７０９は、読み書き可能な任意の記憶媒体を有する。例えば、記憶媒体は、RAM又はフラッシュメモリなどの内蔵型の記憶媒体であってもよく、ハードディスク、磁気ディスク、光磁気ディスク、光ディスク、USB（Unallocated Space Bitmap）メモリ、又はメモリカードなどの外部装着型の記憶媒体であってもよい。
【０２８１】
また、撮影モードにおいて、例えば、カメラ部７０６は、被写体を撮像して画像データを生成し、生成した画像データを画像処理部７０７へ出力する。画像処理部７０７は、カメラ部７０６から入力される画像データを符号化し、符号化ストリームを記憶再生部７０９の記憶媒体に記憶させる。
【０２８２】
また、テレビ電話モードにおいて、例えば、多重分離部７０８は、画像処理部７０７により符号化された映像ストリームと、音声コーデック７０３から入力される音声ストリームとを多重化し、多重化したストリームを通信部７０２へ出力する。通信部７０２は、ストリームを符号化及び変調し、送信信号を生成する。そして、通信部７０２は、生成した送信信号を、アンテナ７０１を介して基地局（図示せず）へ送信する。また、通信部７０２は、アンテナ７０１を介して受信される無線信号を増幅し及び周波数変換し、受信信号を取得する。これら送信信号及び受信信号には、符号化ビットストリームが含まれ得る。そして、通信部７０２は、受信信号を復調及び復号してストリームを復元し、復元したストリームを多重分離部７０８へ出力する。多重分離部７０８は、入力されるストリームから映像ストリーム及び音声ストリームを分離し、映像ストリームを画像処理部７０７、音声ストリームを音声コーデック７０３へ出力する。画像処理部７０７は、映像ストリームを復号し、映像データを生成する。映像データは、表示部７１０に供給され、表示部７１０により一連の画像が表示される。音声コーデック７０３は、音声ストリームを伸張し及びD/A変換し、アナログ音声信号を生成する。そして、音声コーデック７０３は、生成した音声信号をスピーカ７０４に供給して音声を出力させる。
【０２８３】
このように構成された通信装置７００において、通信部７０２は、上述した受信装置１００若しくは受信装置２００、並びに、送信装置４００若しくは送信装置５００の機能を有する。したがって、通信装置７００は、より高精度な周波数変換をより容易に行うことができる。
【０２８４】
＜７．第７の実施の形態＞
［コンピュータ］
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０２８５】
図１６は、上述した一連の処理をプログラムにより実行するコンピュータのハードウエアの構成例を示すブロック図である。
【０２８６】
図１６に示されるコンピュータ８００において、CPU（Central Processing Unit）８０１、ROM（Read Only Memory）８０２、RAM（Random Access Memory）８０３は、バス８０４を介して相互に接続されている。
【０２８７】
バス８０４にはまた、入出力インタフェース８１０も接続されている。入出力インタフェース８１０には、入力部８１１、出力部８１２、記憶部８１３、通信部８１４、およびドライブ８１５が接続されている。
【０２８８】
入力部８１１は、例えば、キーボード、マウス、マイクロホン、タッチパネル、入力端子などよりなる。出力部８１２は、例えば、ディスプレイ、スピーカ、出力端子などよりなる。記憶部８１３は、例えば、ハードディスク、RAMディスク、不揮発性のメモリなどよりなる。通信部８１４は、例えば、ネットワークインタフェースよりなる。ドライブ８１５は、磁気ディスク、光ディスク、光磁気ディスク、または半導体メモリなどのリムーバブルメディア８２１を駆動する。
【０２８９】
以上のように構成されるコンピュータでは、CPU８０１が、例えば、記憶部８１３に記憶されているプログラムを、入出力インタフェース８１０およびバス８０４を介して、RAM８０３にロードして実行することにより、上述した一連の処理が行われる。RAM８０３にはまた、CPU８０１が各種の処理を実行する上において必要なデータなども適宜記憶される。
【０２９０】
コンピュータ（CPU８０１）が実行するプログラムは、例えば、パッケージメディア等としてのリムーバブルメディア８２１に記録して適用することができる。また、プログラムは、ローカルエリアネットワーク、インターネット、デジタル衛星放送といった、有線または無線の伝送媒体を介して提供することができる。
【０２９１】
コンピュータでは、プログラムは、リムーバブルメディア８２１をドライブ８１５に装着することにより、入出力インタフェース８１０を介して、記憶部８１３にインストールすることができる。また、プログラムは、有線または無線の伝送媒体を介して、通信部８１４で受信し、記憶部８１３にインストールすることができる。その他、プログラムは、ROM８０２や記憶部８１３に、あらかじめインストールしておくことができる。
【０２９２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２９３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２９４】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２９５】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０２９６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２９７】
例えば、本技術は、１つの機能を、ネットワークを介して複数の装置で分担、共同して処理するクラウドコンピューティングの構成をとることができる。
【０２９８】
また、上述のフローチャートで説明した各ステップは、１つの装置で実行する他、複数の装置で分担して実行することができる。
【０２９９】
さらに、１つのステップに複数の処理が含まれる場合には、その１つのステップに含まれる複数の処理は、１つの装置で実行する他、複数の装置で分担して実行することができる。
【０３００】
なお、本技術は以下のような構成も取ることができる。
（１）  所定の発振周波数で発振する分周比が整数の発振部と、
前記発信部の発振により得られた前記発振周波数の信号を用いて、処理対象の信号の周波数を変換する周波数変換部と、
前記処理対象の信号の、前記発振周波数の誤差に基づく前記周波数変換部による変換後の周波数の誤差を補正する補正部と
を備える信号処理装置。
（２）  前記補正部は、前記周波数変換部により周波数を変換された後の前記処理対象の信号について、前記周波数の誤差を補正する
前記（１）に記載の信号処理装置。
（３）  前記周波数変換部により周波数が変換された前記処理対象の信号について、チャネルを選択するチャネル選択部をさらに備え、
前記補正部は、前記チャネル選択部により選択されたチャネルの前記処理対象の信号について、前記周波数の誤差を補正する
前記（２）に記載の信号処理装置。
（４）  前記補正部は、前記周波数変換部により周波数を変換される前の前記処理対象の信号について、前記周波数の誤差を補正する
前記（１）乃至（３）のいずれかに記載の信号処理装置。
（５）  前記周波数変換部により周波数が変換される前の前記処理対象の信号について、チャネルを選択するチャネル選択部をさらに備え、
前記補正部は、前記チャネル選択部によりチャネルが選択される前の前記処理対象の信号について、前記周波数の誤差を補正する
前記（４）に記載の信号処理装置。
（６）  前記発振周波数の誤差は、前記発振周波数の制御幅により生じる、前記発振周波数の所望の値と実際の値との差分である
前記（１）乃至（５）のいずれかに記載の信号処理装置。
（７）  前記処理対象の信号の変換後の周波数の誤差は、前記発振周波数の制御幅よりも小さい
前記（１）乃至（６）のいずれかに記載の信号処理装置。
（８）  前記発振周波数の制御幅は、前記処理対象の信号のチャネル幅よりも小さい
前記（１）乃至（７）のいずれかに記載の信号処理装置。
（９）  前記発振部および前記補正部の動作を制御する制御部をさらに備える
前記（１）乃至（８）のいずれかに記載の信号処理装置。
（１０）  前記制御部は、少なくとも、前記発振部の前記発振周波数と、前記補正部の補正量とを制御する
前記（９）に記載の信号処理装置。
（１１）  前記制御部は、前記処理対象の信号の規格に応じた、前記補正量を前記補正部に指示する
前記（１０）に記載の信号処理装置。
（１２）  前記発振部は、
入力電圧によって出力周波数を制御する電圧制御発振部と、
前記電圧制御発振部の出力周波数を整数の分周比で分周する分周部と、
前記発振部の入力信号と前記分周部の出力信号との位相差を電圧に変換して前記電圧制御発振部に供給する位相比較部と
を備え、
前記電圧制御発振部は、前記位相比較部の出力電圧に基づいて、前記発振部の出力信号の周波数を制御し、
前記制御部は、前記電圧制御発振部の出力周波数のステップ幅に基づいて前記補正量を算出し、算出した前記補正量を前記補正部に指示する
前記（１０）または（１１）に記載の信号処理装置。
（１３）  前記発振部は、
入力電圧によって出力周波数を制御する電圧制御発振部と、
前記電圧制御発振部の出力周波数を整数の分周比で分周する分周部と、
前記発振部の入力信号と前記分周部の出力信号との位相差を電圧に変換して前記電圧制御発振部に供給する位相比較部と
を備え、
前記電圧制御発振部は、前記位相比較部の出力電圧に基づいて、前記発振部の出力信号の周波数を制御し、
前記制御部は、前記分周部の分周比のステップ幅に基づいて前記補正量を算出し、算出した前記補正量を前記補正部に指示する
前記（１０）乃至（１２）のいずれかに記載の信号処理装置。
（１４）  信号処理装置の信号処理方法において、
前記信号処理装置が、
整数の分周比を用いて所定の発振周波数で発振をし、
前記発振により得られた前記発振周波数の信号を用いて、処理対象の信号の周波数を変換し、
前記処理対象の信号の、前記発振周波数の誤差に基づく周波数変換後の周波数の誤差を補正する
信号処理方法。
（１５）  信号を受信する受信部と、
所定の発振周波数で発振する分周比が整数の発振部と、
前記発信部の発振により得られた前記発振周波数の信号を用いて、前記受信部により受信された前記信号のRF信号の周波数を変換してIF信号を生成する周波数変換部と、
前記周波数変換部により生成された前記IF信号について、前記発振周波数の誤差に基づく前記IF信号の周波数の誤差を補正する補正部と
を備える受信装置。
（１６）  少なくとも、前記発振部の前記発振周波数と、前記補正部の補正量とを制御する制御部をさらに備える
前記（１５）に記載の受信装置。
（１７）  受信装置の受信方法において、
前記受信装置が、
信号を受信し、
整数の分周比を用いて所定の発振周波数で発振をし、
前記発振により得られた前記発振周波数の信号を用いて、受信された前記信号のRF信号の周波数を変換してIF信号を生成し、
生成された前記IF信号について、前記発振周波数の誤差に基づく前記IF信号の周波数の誤差を補正する
受信方法。
（１８）  所定の発振周波数で発振する分周比が整数の発振部と、
IF信号について、前記発振周波数の誤差に基づく前記IF信号の周波数の誤差を補正する補正部と、
前記発信部の発振により得られた前記発振周波数の信号を用いて、前記補正部により誤差が補正された前記IF信号の周波数を変換してRF信号を生成する周波数変換部と、
前記周波数変換部により生成された前記RF信号を送信する送信部と
を備える送信装置。
（１９）  少なくとも、前記発振部の前記発振周波数と、前記補正部の補正量とを制御する制御部をさらに備える
前記（１８）に記載の送信装置。
（２０）  送信装置の送信方法において、
前記送信装置が、
整数の分周比を用いて所定の発振周波数で発振をし、
IF信号について、前記発振周波数の誤差に基づく前記IF信号の周波数の誤差を補正し、
前記発振により得られた前記発振周波数の信号を用いて、誤差が補正された前記IF信号の周波数を変換してRF信号を生成し、
生成された前記RF信号を送信する
送信方法。
【符号の説明】
【０３０１】
１６  ローカル発振部，  ２１  水晶振動子，  ２２  水晶発振部，  ２３  カウンタ，  ２４  位相周波数比較部，  ２５  チャージポンプ，  ２６  ループフィルタ，  ２７  VCO，  ２８  分周部，  ２９  カウンタ，  １００  受信装置，  １０１  アンテナ，  １０２  RFフィルタ，  １０３  RFVGA，  １０４  RFフィルタ，  １０５  ミキサ，  １０６  ローカル発振部，  １０７  IFフィルタ，  １１０  信号処理部，  １１１  IF信号処理部，  １２０  信号処理部，  １２１  制御部，  １３１  A/D変換部，  １３２  ダウンコンバータ，  １３３  IF信号処理部，  １３４  アップコンバータ，  １３５  D/A変換部，  ２００  受信装置，  ２２０  信号処理部，  ３１０  送信装置，  ３１１  IFVGA，  ３１２  IFフィルタ，  ３１３  ローカル発信部，  ３１４  ミキサ，  ３１５  RFフィルタ，  ３１６  RFVGA，  ３１７  RFフィルタ，  ３１８  アンテナ，  ４００  送信装置，  ４１０  信号処理部，  ４１１  IF信号処理部，  ４２０  信号処理部，  ４２１  制御部，  ５００  送信装置，  ５２０  信号処理部，  ５２１  制御部，  ６００  表示装置，  ６０２  チューナ，  ７００  通信装置，  ７０２  通信部
【図１】
2014022766.tif 000003
【図２】
2014022766.tif 000004
【図３】
2014022766.tif 000005
【図４】
2014022766.tif 000006
【図５】
2014022766.tif 000007
【図６】
2014022766.tif 000008
【図７】
2014022766.tif 000009
【図８】
2014022766.tif 000010
【図９】
2014022766.tif 000011
【図１０】
2014022766.tif 000012
【図１１】
2014022766.tif 000013
【図１２】
2014022766.tif 000014
【図１３】
2014022766.tif 000015
【図１４】
2014022766.tif 000016
【図１５】
2014022766.tif 000017
【図１６】
2014022766.tif 000018